(57)【要約】  本発明は、カートリッジ又はアンビルのうちの少なくとも１つの組織対向面に少なくとも部分的に配置された外科用バットレスを含む、組織をステープル留め及び切除する外科用ステープラーであって、前記バットレスは、前記組織対向面の幅より実質的に大きい幅を有し、前記バットレスは、配備可能なステープル上又はステープル成形ポケット上に位置付けられた第１の部分と、配備可能なステープル上又はステープル成形ポケット上に位置付けられていない少なくとも１つのフラップ部分と、を含み、前記フラップ部分は、折り畳まれるか又はそれ自体の上で巻かれ、展開して切除された組織に巻き付けることができるように構成さている、外科用ステープラーに関する。本発明はまた、そのようなステープラー組立体装置の使用方法に関する。
2019523026.tif 000002
【特許請求の範囲】
【請求項１】
少なくとも１つの組織片をステープル留めし、かつ切除するための外科用ステープラーであって、
本体と、シャフト組立体と、エンドエフェクタと、を備え、前記エンドエフェクタは、ステープルカートリッジを受容するように構成されている下側顎部と、前記下側顎部に向かって、かつそこから離れるように枢動可能なアンビルと、並進可能なナイフ部材と、を備え、
使い捨てカートリッジが前記下側顎部に設置されており、前記カートリッジは、前記ナイフ部材が中を並進可能な組織切除チャネルによって分離された配列に複数の配備可能なステープルを収容し、
前記アンビルは、前記配備可能なステープルと整列された複数のステープル成形ポケットを有し、
外科用バットレスが、前記カートリッジ又は前記アンビルのうちの少なくとも１つの組織対向面上に、少なくとも部分的に配置され、
前記バットレスは、前記組織対向面の幅より実質的に大きい幅を有し、
前記バットレスは、前記配備可能なステープル上又は前記ステープル成形ポケット上に位置付けられた第１の部分と、前記配備可能なステープル上又は前記ステープル成形ポケット上に位置付けられていない少なくとも１つのフラップ部分と、を含み、
前記フラップ部分は、それ自体の上に折り畳まれるか又は巻かれて、かつ展開して前記切除された組織に巻き付けることができる、外科用ステープラー。
【請求項２】
前記バットレスが、２つのフラップ部分を含む、請求項１に記載の外科用ステープラー。
【請求項３】
前記フラップ部分が、前記切除された組織に巻き付くのに十分な幅を有するように構成されている、請求項２に記載の外科用ステープラー。
【請求項４】
前記バットレスが、実質的に矩形である、請求項２に記載の外科用ステープラー。
【請求項５】
前記フラップ部分が孔部を有する、請求項２に記載の外科用ステープラー。
【請求項６】
前記バットレスが、少なくとも部分的に生体再吸収性又は少なくとも部分的に可溶性である、請求項２に記載の外科用ステープラー。
【請求項７】
前記バットレスが、放出可能な医学的に有用な薬剤を含む、請求項２に記載の外科用ステープラー。
【請求項８】
前記フラップ部分が、前記カートリッジ又は前記アンビルのうちの少なくとも１つの前記組織対向面に形成されている溝内に収納されている、請求項３に記載の外科用ステープラー。
【請求項９】
前記フラップ部分が、前記カートリッジ又は前記アンビルのうちの少なくとも１つの前記組織対向面上で折り畳まれて収納されている、請求項３に記載の外科用ステープラー。
【請求項１０】
前記フラップ部分が、前記カートリッジ又は前記アンビルのうちの少なくとも１つの前記組織対向面の外側に巻かれて収納されている、請求項３に記載の外科用ステープラー。
【請求項１１】
前記バットレスが、少なくとも２つの層を含む、請求項３に記載の外科用ステープラー。
【請求項１２】
前記第１の部分が２つの層を含み、前記フラップ部分が１つの層を含む、請求項１に記載の外科用ステープラー。
【請求項１３】
前記第１の部分がより高い厚さを有し、前記フラップ部分がより低い厚さを有する、請求項１に記載の外科用ステープラー。
【請求項１４】
前記フラップ部分が取り付け手段を含む、請求項１に記載の外科用ステープラー。
【請求項１５】
前記取り付け手段が、接着剤の層又は少なくとも１つのかかり付きピンを含む、請求項１に記載の外科用ステープラー。
【請求項１６】
前記フラップ部分が、前記バットレスの周縁に位置し、前記第１の部分を囲んでおり、前記フラップ部分それぞれが、前記組織対向面の前記幅の２分の１より大きい幅を有する、請求項３に記載の外科用ステープラー。
【請求項１７】
前記フラップ部分それぞれが、前記組織対向面の前記幅より大きい前記幅を有する、請求項１６に記載の外科用ステープラー。
【請求項１８】
前記溝が、前記カートリッジ又は前記アンビルの前記周縁で、かつ前記組織切除チャネルの遠位に位置付けられている、請求項８に記載の外科用ステープラー。
【請求項１９】
前記フラップ部分が、前記バットレスの中央に位置し、前記第１の部分が、前記フラップ部分を囲む２つのパーツを含み、前記フラップ部分それぞれが、前記組織の厚さより大きい、又は前記組織対向面の前記幅の２分の１より大きい幅を有する、請求項３に記載の外科用ステープラー。
【請求項２０】
前記溝が、前記組織切除チャネルの近位で、かつ前記組織切除チャネルと、配備可能なステープルの列又はステープル成形ポケットの列との間に位置付けられている、請求項８に記載の外科用ステープラー。
【発明の詳細な説明】
【技術分野】
【０００１】
本発明は、外科用ステープルにより修復又は接合された組織の特性を高める外科用器具及び方法に関し、より詳細には、標的手術部位にて修復又は隣接された組織の特性を高めるためにバットレス材料を適用するように設計された外科用器具及び方法に関する。
【背景技術】
【０００２】
長年を通して、医療分野では、生体組織を接合又は結合しようと様々な技術を利用されている。従来、縫合は、切断された組織を再接合して怪我を閉鎖する、容認された技術であった。縫合は外科用針及び縫合糸を用いて達成され、縫合の所期の機能は、治癒過程中に創傷又は組織の縁部を互いに接して保持することである。ステープルは、例えば、腸など様々な人体構造を接合又は吻合するときに縫合に取り替わって使用されている。ステープルを適用するために採用される外科ステープル留め装置は、一般的に、患者の伸長した組織の分節を同時に切断及び封着するように設計される。
【０００３】
線形又は環状の外科ステープル留め装置は、生体組織の分節を共に接合するために、及び／又は、吻合部を作成するために、１つ又は複数の列の外科用締結具、例えば、ステープルを生体組織に順次又は同時に適用するために外科医により採用されている。直線的な外科ステープル留め装置は、一般的に、接合されるべき生体組織が設置される一対の顎部つまり指状構造体を含む。外科ステープル留め装置が作動されると、発射バーが長手方向に移動して顎部の一方のステープル駆動部材と接触し、外科用ステープルが生体組織を通って押され、反対側の顎部のアンビルに入りかつそのアンビルに当接し、その結果、ステープルが閉鎖状態で圧着される。ナイフ刃は、ステープルの列／線間に切り込みが入るように提供され得る。
【０００４】
開放手術及び内視鏡手術で使用するための多数の外科用ステープラーが知られている。かかるステープラーのいくつかは、組織層をクランプし、クランプされた組織層を切断し、組織層を通してステープルを打ち込むことによって、組織層の切断された端部の近くで、切断された組織層同士を互いに実質的にシールするように動作可能である。あくまで例示の外科用ステープラーが以下に開示されている。すなわち、１９８９年２月２１日に発行された「Ｐｏｃｋｅｔ  Ｃｏｎｆｉｇｕｒａｔｉｏｎ  ｆｏｒ  Ｉｎｔｅｒｎａｌ  Ｏｒｇａｎ  Ｓｔａｐｌｅｒｓ」と題する米国特許第４，８０５，８２３号、１９９５年５月１６日に発行された「Ｓｕｒｇｉｃａｌ  Ｓｔａｐｌｅｒ  ａｎｄ  Ｓｔａｐｌｅ  Ｃａｒｔｒｉｄｇｅ」と題する米国特許第５，４１５，３３４号、１９９５年１１月１４日に発行された「Ｓｕｒｇｉｃａｌ  Ｓｔａｐｌｅｒ  Ｉｎｓｔｒｕｍｅｎｔ」と題する米国特許第５，４６５，８９５号、１９９７年１月２８日に発行された「Ｓｕｒｇｉｃａｌ  Ｓｔａｐｌｅｒ  Ｉｎｓｔｒｕｍｅｎｔ」と題する米国特許第５，５９７，１０７号、１９９７年５月２７日に発行された「Ｓｕｒｇｉｃａｌ  Ｉｎｓｔｒｕｍｅｎｔ」と題する米国特許第５，６３２，４３２号、１９９７年１０月７日に発行された「Ｓｕｒｇｉｃａｌ  Ｉｎｓｔｒｕｍｅｎｔ」と題する米国特許第５，６７３，８４０号、１９９８年１月６日に発行された「Ａｒｔｉｃｕｌａｔｉｏｎ  Ａｓｓｅｍｂｌｙ  ｆｏｒ  Ｓｕｒｇｉｃａｌ  Ｉｎｓｔｒｕｍｅｎｔｓ」と題する米国特許第５，７０４，５３４号、１９９８年９月２９日に発行された「Ｓｕｒｇｉｃａｌ  Ｃｌａｍｐｉｎｇ  Ｍｅｃｈａｎｉｓｍ」と題する米国特許第５，８１４，０５５号、２００５年１２月２７日に発行された「Ｓｕｒｇｉｃａｌ  Ｓｔａｐｌｉｎｇ  Ｉｎｓｔｒｕｍｅｎｔ  Ｉｎｃｏｒｐｏｒａｔｉｎｇ  ａｎ  Ｅ−Ｂｅａｍ  Ｆｉｒｉｎｇ  Ｍｅｃｈａｎｉｓｍ」と題する米国特許第６，９７８，９２１号、２００６年２月２１日に発行された「Ｓｕｒｇｉｃａｌ  Ｓｔａｐｌｉｎｇ  Ｉｎｓｔｒｕｍｅｎｔ  Ｈａｖｉｎｇ  Ｓｅｐａｒａｔｅ  Ｄｉｓｔｉｎｃｔ  Ｃｌｏｓｉｎｇ  ａｎｄ  Ｆｉｒｉｎｇ  Ｓｙｓｔｅｍｓ」と題する米国特許第７，０００，８１８号、２００６年１２月５日に発行された「Ｓｕｒｇｉｃａｌ  Ｓｔａｐｌｉｎｇ  Ｉｎｓｔｒｕｍｅｎｔ  Ｈａｖｉｎｇ  ａ  Ｆｉｒｉｎｇ  Ｌｏｃｋｏｕｔ  ｆｏｒ  ａｎ  Ｕｎｃｌｏｓｅｄ  Ａｎｖｉｌ」と題する米国特許第７，１４３，９２３号、２００７年１２月４日に発行された「Ｓｕｒｇｉｃａｌ  Ｓｔａｐｌｉｎｇ  Ｉｎｓｔｒｕｍｅｎｔ  Ｉｎｃｏｒｐｏｒａｔｉｎｇ  ａ  Ｍｕｌｔｉ−Ｓｔｒｏｋｅ  Ｆｉｒｉｎｇ  Ｍｅｃｈａｎｉｓｍ  ｗｉｔｈ  ａ  Ｆｌｅｘｉｂｌｅ  Ｒａｃｋ」と題する米国特許第７，３０３，１０８号、２００８年５月６日に発行された「Ｓｕｒｇｉｃａｌ  Ｓｔａｐｌｉｎｇ  Ｉｎｓｔｒｕｍｅｎｔ  Ｉｎｃｏｒｐｏｒａｔｉｎｇ  ａ  Ｍｕｌｔｉｓｔｒｏｋｅ  Ｆｉｒｉｎｇ  Ｍｅｃｈａｎｉｓｍ  Ｈａｖｉｎｇ  ａ  Ｒｏｔａｒｙ  Ｔｒａｎｓｍｉｓｓｉｏｎ」と題する米国特許第７，３６７，４８５号、２００８年６月３日に発行された「Ｓｕｒｇｉｃａｌ  Ｓｔａｐｌｉｎｇ  Ｉｎｓ��ｒｕｍｅｎｔ  Ｈａｖｉｎｇ  ａ  Ｓｉｎｇｌｅ  Ｌｏｃｋｏｕｔ  Ｍｅｃｈａｎｉｓｍ  ｆｏｒ  Ｐｒｅｖｅｎｔｉｏｎ  ｏｆ  Ｆｉｒｉｎｇ」と題する米国特許第７，３８０，６９５号、２００８年６月３日に発行された「Ａｒｔｉｃｕｌａｔｉｎｇ  Ｓｕｒｇｉｃａｌ  Ｓｔａｐｌｉｎｇ  Ｉｎｓｔｒｕｍｅｎｔ  Ｉｎｃｏｒｐｏｒａｔｉｎｇ  ａ  Ｔｗｏ−Ｐｉｅｃｅ  Ｅ−Ｂｅａｍ  Ｆｉｒｉｎｇ  Ｍｅｃｈａｎｉｓｍ」と題する米国特許第７，３８０，６９６号、２００８年７月２９日に発行された「Ｓｕｒｇｉｃａｌ  Ｓｔａｐｌｉｎｇ  ａｎｄ  Ｃｕｔｔｉｎｇ  Ｄｅｖｉｃｅ」と題する米国特許第７，４０４，５０８号、２００８年１０月１４日に発行された「Ｓｕｒｇｉｃａｌ  Ｓｔａｐｌｉｎｇ  Ｉｎｓｔｒｕｍｅｎｔ  Ｈａｖｉｎｇ  Ｍｕｌｔｉｓｔｒｏｋｅ  Ｆｉｒｉｎｇ  ｗｉｔｈ  Ｏｐｅｎｉｎｇ  Ｌｏｃｋｏｕｔ」と題する米国特許第７，４３４，７１５号、２０１０年５月２５日に発行された「Ｄｉｓｐｏｓａｂｌｅ  Ｃａｒｔｒｉｄｇｅ  ｗｉｔｈ  Ａｄｈｅｓｉｖｅ  ｆｏｒ  Ｕｓｅ  ｗｉｔｈ  ａ  Ｓｔａｐｌｉｎｇ  Ｄｅｖｉｃｅ」と題する米国特許第７，７２１，９３０号、２０１３年４月２日に発行された「Ｓｕｒｇｉｃａｌ  Ｓｔａｐｌｉｎｇ  Ｉｎｓｔｒｕｍｅｎｔ  ｗｉｔｈ  Ａｎ  Ａｒｔｉｃｕｌａｔａｂｌｅ  Ｅｎｄ  Ｅｆｆｅｃｔｏｒ」と題する米国特許第８，４０８，４３９号、及び２０１３年６月４日に発行された「Ｍｏｔｏｒ−Ｄｒｉｖｅｎ  Ｓｕｒｇｉｃａｌ  Ｃｕｔｔｉｎｇ  Ｉｎｓｔｒｕｍｅｎｔ  ｗｉｔｈ  Ｅｌｅｃｔｒｉｃ  Ａｃｔｕａｔｏｒ  Ｄｉｒｅｃｔｉｏｎａｌ  Ｃｏｎｔｒｏｌ  Ａｓｓｅｍｂｌｙ」と題する米国特許第８，４５３，９１４号である。上に引用した米国特許のそれぞれの開示内容は、参照により本明細書に組み込まれる。
【０００５】
上述した外科用ステープラーの多くは、内視鏡手術において使用されるものとして記載されているが、このような外科用ステープラーは、開放手術及び／又は他の非内視鏡手術でも使用することができることを理解されたい。ほんの一例として、トロカールをステープラーの導管として使用しない胸部外科手術では、外科用ステープラーを開胸術によって患者の肋骨の間に挿入し、１つ又は２つ以上の臓器に到達させることもできる。かかる手術では、肺につながる血管を切断及び閉鎖するためにステープラーが使用される場合もある。例えば、臓器につながる血管を、胸腔から臓器を切除するのに先立ってステープラーによって切断して閉鎖することができる。外科用ステープラーは、他の様々な状況及び手術で使用することができる。特に開胸術に適し得る、又は開胸術に使用され得る外科用ステープラーの例は、「Ｓｕｒｇｉｃａｌ  Ｉｎｓｔｒｕｍｅｎｔ  Ｅｎｄ  Ｅｆｆｅｃｔｏｒ  Ａｒｔｉｃｕｌａｔｉｏｎ  Ｄｒｉｖｅ  ｗｉｔｈ  Ｐｉｎｉｏｎ  ａｎｄ  Ｏｐｐｏｓｉｎｇ  Ｒａｃｋｓ」と題する米国特許第９，１８６，１４２号に開示され、その開示内容は、参照により本明細書に組み込まれる。
【０００６】
組織に配置される及び組織にステープル留めされる多数のバットレス及び組織の厚さの補償板は、当該技術分野において既知である。以下が参照される。すなわち、米国特許第８，６５７，１７６号Ｔｉｓｓｕｅ  ｔｈｉｃｋｎｅｓｓ  ｃｏｍｐｅｎｓａｔｏｒ  ｆｏｒ  ａ  ｓｕｒｇｉｃａｌ  ｓｔａｐｌｅｒ、米国特許第８，７４６，５３５号Ｔｉｓｓｕｅ  ｔｈｉｃｋｎｅｓｓ  ｃｏｍｐｅｎｓａｔｏｒ  ｃｏｍｐｒｉｓｉｎｇ  ｄｅｔａｃｈａｂｌｅ  ｐｏｒｔｉｏｎｓ、米国特許第８，８６４，００９号Ｔｉｓｓｕｅ  ｔｈｉｃｋｎｅｓｓ  ｃｏｍｐｅｎｓａｔｏｒ  ｆｏｒ  ａ  ｓｕｒｇｉｃａｌ  ｓｔａｐｌｅｒ  ｃｏｍｐｒｉｓｉｎｇ  ａｎ  ａｄｊｕｓｔａｂｌｅ  ａｎｖｉｌ、米国特許第９，１１３，８６５号Ｓｔａｐｌｅ  ｃａｒｔｉｄｇｅ  ｃｏｍｐｒｉｓｉｎｇ  ａ  ｌａｙｅｒ、米国特許第９，１６８，０３８号Ｓｔａｐｌｅ  ｃａｒｔｒｉｇｅ  ｃｏｍｐｒｉｓｉｎｇ  ａ  ｔｉｓｓｕｅ  ｔｈｉｃｋｎｅｓｓ  ｃｏｍｐｅｎｓａｔｏｒ、米国特許第９，１９８，６６２号Ｔｉｓｓｕｅ  ｔｈｉｃｋｎｅｓｓ  ｃｏｍｐｅｎｓａｔｏｒ  ｈａｖｉｎｇ  ｉｍｐｒｏｖｅｄ  ｖｉｓｉｂｉｌｉｔｙ、米国特許第９，２２０，５０１号Ｔｉｓｓｕｅ  ｔｈｉｃｋｎｅｓｓ  ｃｏｍｐｅｎｓａｔｏｒｓ、米国特許第９，２４１，７１４号Ｔｉｓｓｕｅ  ｔｈｉｃｋｎｅｓｓ  ｃｏｍｐｅｎｓａｔｏｒ  ａｎｄ  ｍｅｔｈｏｄ  ｆｏｒ  ｍａｋｉｎｇ  ｔｈｅ  ｓａｍｅ、米国特許第８，３０８，０４２号Ｓｔｒｕｃｔｕｒｅ  ｆｏｒ  ａｔｔａｃｈｍｅｎｔ  ｏｆ  ｂｕｔｔｒｅｓｓ  ｍａｔｅｒｉａｌ  ｔｏ  ａｎｖｉｌｓ  ａｎｄ  ｃａｒｔｒｉｄｇｅｓ  ｏｆ  ｓｕｒｇｉｃａｌ  ｓｔａｐｌｅｒ、米国特許第９，１１３，８７３号Ｄｅｔａｃｈａｂｌｅ  ｂｕｔｔｒｅｓｓ  ｍａｔｅｒｉａｌ  ｒｅｔｅｎｔｉｏｎ  ｓｙｓｔｅｍｓ  ｆｏｒ  ｕｓｅ  ｗｉｔｈ  ａ  ｓｕｒｇｉｃａｌ  ｓｔａｐｌｉｎｇ  ｄｅｖｉｃｅである。
【０００７】
米国特許公開第２０１４／０２３９０４７号ＡＤＨＥＲＥＮＣＥ  ＣＯＮＣＥＰＴＳ  ＦＯＲ  ＮＯＮ−ＷＯＶＥＮ  ＡＢＳＯＲＢＡＢＬＥ  ＦＥＬＴ  ＢＵＴＴＲＥＳＳＥＳは、外科用ステープル留め装置であって、ハウジングと、ハウジングによって支持されたハンドルと、ハウジングから遠位に延在する細長い本体と、細長い本体の遠位端にある工具組立体であって、組織対向面を有するステープルカートリッジと、複数のステープル保持ポケットと、その組織対向面に形成されているナイフスロットと、を含むカートリッジ組立体と、ステープル保持ポケット内に１つずつ装填される複数の外科用締結具と、カートリッジ組立体に対して並置されたアンビル組立体であって、複数のステープル成形ポケットと、その中にナイフスロットと、を画定する組織対向面を有するアンビルプレートを含むアンビル組立体と、を含み、カートリッジ組立体又はアンビル組立体のうちの少なくとも１つは、カートリッジ組立体及びアンビル組立体のうちの他方に対して移動可能である、工具組立体と、カートリッジ組立体又はアンビル組立体のうちの少なくとも１つの組織対向面に取り付けられた外科用バットレスであって、外科用バットレスは、外科用バットレスが取り付けられている、カートリッジ組立体のステープル保持ポケット及びナイフスロット又はアンビル組立体のステープル成形ポケット及びナイフスロットの中へ局所的に変形され、それによって外科用バットレスと組織対向面との間の接触領域を増やす、外科用バットレス、とを備える、外科用ステープル留め装置を開示する。
【０００８】
米国特許公開第２０１３／００６２３９１号ＳＵＲＧＩＣＡＬ  ＩＮＳＴＲＵＭＥＮＴ  ＷＩＴＨ  ＦＬＵＩＤ  ＦＩＬＬＡＢＬＥ  ＢＵＴＴＲＥＳＳは、装置であって、
（ａ）遠位端及び近位端を含む外科用カッターであって、近位端がハンドルを備え、遠位端がアンビル及び下側顎部を備え、アンビル及び下側顎部が組織をクランプするように構成され、外科用カッターがアンビル及び下側顎部によってクランプされた組織を切断するように構成されている、外科用カッターと、
（ｂ）液体で充填されたバットレスであって、バットレスが、アンビルと下側顎部との間に定置されるように構成され、バットレスは圧縮性部分及び圧力部分を備え、圧縮性部分がアンビル及び下側顎部が圧縮性部分をクランプすることによって外科用カッターの遠位端によって圧迫されるように構成され、圧力部分が、圧縮部分に対するクランプに反応して液体で加圧されるように構成され、バットレスが、外科用カッターが組織を切断するのとほぼ同時に、外科用カッターによって切断されてステープル留めされるように構成され、圧力部分が、一旦バットレスが切断されると、圧縮性部分を通じて液体を押し出すように構成されている、バットレスと、を備える、装置を開示する。
【０００９】
米国特許第６，３２５，８１０号ＦＯＡＭ  ＢＵＴＴＲＥＳＳ  ＦＯＲ  ＳＴＡＰＬＩＮＧ  ＡＰＰＡＲＡＴＵＳは、開口部を備える上面を有する２つの離間したラインに提供される、複数の外科用ステープルを収容したステープルカートリッジを含む、組織の止血用又は肺炎防止用装置であって、この開口部を介してステープルを排出することができ、上面には、適合した生体吸収性の連続気泡発泡体が解除自在に取り付けられており、連続気泡発泡体は、カートリッジの上面に接触する、実質的に封着されている少なくとも１つの表面を有する、装置を開示する。
【発明の概要】
【発明が解決しようとする課題】
【００１０】
ステープル留めされた組織の封着部、特に切除されてステープル留めされた組織の縁部の術後の漏れ及び治癒の遅延は、罹患率及び死亡率につながり得る。既存のステープラーでは、バットレスにあらかじめ装填されている場合でも、切除された組織の縁部は露出したままとなり、その結果、血液及び／又は体液の漏れ、感染、並びに癒着が生じる。ステープルによって接合された組織の生存性を改善することによって、切除されてステープル留めされた組織の治癒を改善する必要性が存在する。
【課題を解決するための手段】
【００１１】
本発明は、外科用ステープルにより修復又は接合された組織の特性を高める外科用器具及び方法に関し、より詳細には、標的手術部位にて修復又は隣接された組織の特性を高めるために治療材料を適用するように設計された外科用器具及び方法に関する。
【００１２】
本発明は、一実施形態では、組織を接合及び切除するための外科用ステープラーであって、本体、シャフト組立体、及びエンドエフェクタを備え、エンドエフェクタは、ステープルカートリッジを受容するように構成された下側顎部と、下側顎部に向かって及びそこから離れるように枢動可能なアンビルと、並進可能なナイフ部材と、を備え、使い捨てのカートリッジが下側顎部に設置され、カートリッジは、ナイフ部材が中を並進可能な組織切除チャネルによって分離された配列に複数の配備可能なステープルを収容し、アンビルは、配備可能なステープルと整列された複数のステープル成形ポケットを有し、外科用バットレスが、カートリッジ又はアンビルのうちの少なくとも１つの組織対向面に少なくとも部分的に配置され、バットレスは、組織対向面の幅より実質的に大きい幅を有し、バットレスは、配備可能なステープル上又はステープル成形ポケット上に位置付けられた第１の部分と、配備可能なステープル上又はステープル成形ポケット上に位置付けられていない少なくとも１つのフラップ部分と、を含み、フラップ部分は、折り畳まれるか又はそれ自体の上で巻かれ、展開して切除された組織に巻き付けることができるように構成さている、外科用ステープラーに関する。
【００１３】
本発明は、別の実施形態では、外科用ステープラーを使用して組織を接合する方法であって、ステープルカートリッジを下側顎部に挿入する工程と、アンビルとステープルカートリッジとの間の組織を捕捉する工程と、近位位置から遠位位置へナイフ部材を遠位に並進させる工程と、捕捉した組織を切断して切除された組織の縁部を形成することと、ステープルカートリッジの複数のステープルを駆動して捕捉した組織に通すことと、を実質的に同時に行う工程と、バットレスの第１の部分をステープルによって第１の組織表面に取り付けることと、フラップ部分をステープルによって組織に取り付けずに、バットレスを２等分することと、を実質的に同時に行う工程と、バットレスを第１の組織表面に取り付けたまま、組織との接触から外科用ステープラーを外す工程と、フラップ部分の少なくとも１つを展開し、少なくとも１つのフラップ部分を切除された組織の縁部に巻き付け、任意追加的に、少なくとも１つのフラップ部分を、第１の組織表面の反対側にある第２の組織表面に接触させる工程と、を含む、方法に関する。
【図面の簡単な説明】
【００１４】
本明細書に組み込まれると共にその一部をなす添付の図面は、本発明の実施形態を示すものであり、上記の本発明の一般的説明、及び以下の実施形態の詳細な説明と共に、本発明の原理を説明する役割を果たすものである。
【図１】例示的な関節運動外科用ステープル留め器具の斜視図を示す。
【図２】図１の器具の側面図を示す。
【図３】エンドエフェクタが閉鎖構成にある、図１の器具のエンドエフェクタの斜視図を示す。
【図４】エンドエフェクタが開放構成にある、図３のエンドエフェクタの斜視図を示す。
【図５】図３のエンドエフェクタの分解斜視図を示す。
【図６】図４の線６−６に沿って取られた、図３のエンドエフェクタの端面断面図を示す。
【図７】図３のエンドエフェクタに組み込んでもよい例示的なカートリッジの斜視図を示す。
【図８】代替の例示的な外科用ステープル留め器具の分解斜視図を示す。
【図９】カートリッジの組織対向面の上に定置した平坦な展開構成のバットレスを備えた、例示的なカートリッジの斜視図を示す。
【図１０】アンビルの組織対向面の上に定置した平坦な展開構成のバットレスを備えた、例示的なアンビルの斜視図を示す。
【図１１】カートリッジの組織対向面の上に定置した平坦な展開構成のバットレスを備えた、例示的なカートリッジの概略平面図を示す。
【図１２】フラップが折り畳まれるか又は巻かれている、組織対向面上に配置されたバットレスを備えた、カートリッジの略示断面図を示す。
【図１３】フラップが折り畳まれるか又は巻かれている、組織対向面上に配置されたバットレスを備えた、カートリッジの略示断面図を示す。
【図１４】フラップが折り畳まれるか又は巻かれている、組織対向面上に配置されたバットレスを備えた、カートリッジの略示断面図を示す。
【図１５】フラップが折り畳まれるか又は巻かれている、組織対向面上に配置されたバットレスを備えた、カートリッジの略示断面図を示す。
【図１６】フラップが折り畳まれるか又は巻かれている、組織対向面上に配置されたバットレスを備えた、カートリッジの略示断面図を示す。
【図１７】フラップが折り畳まれるか又は巻かれている、組織対向面上に配置されたバットレスを備えた、カートリッジの略示断面図を示す。
【図１８】バットレスフラップを収納するための組織対向面内の溝を有する、例示的なカートリッジの概略平面図を示す。
【図１９】フラップが溝に収納されている組織対向面上に配置されたバットレスを備えた、カートリッジの略示断面図を示す。
【図２０】フラップが折り畳まれている、カートリッジに設置されたバットレスを模式的に示した、エンドエフェクタ内の例示的なカートリッジの断面図を示す。
【図２１】フラップが折り畳まれている、カートリッジに設置されたバットレスを模式的に示した、エンドエフェクタ内の例示的なカートリッジの断面図を示す。
【図２２】フラップが折り畳まれている、カートリッジに設置されたバットレスを模式的に示した、エンドエフェクタ内の例示的なカートリッジの断面図を示す。
【図２３】ステープル留め及び切除の前に、エンドエフェクタに設置されたアンビルとカートリッジとの間に位置付けられた組織の略示断面図を示す。
【図２４】切除及びステープル留めの後の図２３の図を示す。
【図２５】外科用ステープラーのステープル留め及び除去後の組織及びバットレスの概略断面図であり、フラップを展開し、切除された表面及び反対側の組織表面に巻き付けている状態を示す。
【図２６Ａ】外科用ステープラーのステープル留め及び除去後の組織及びバットレスの概略断面図であり、フラップを展開し、切除された表面及び反対側の組織表面に巻き付けている状態を示す。
【図２６Ｂ】外科用ステープラーのステープル留め及び除去後の組織及びバットレスの概略断面図であり、フラップを展開し、切除された表面及び反対側の組織表面に巻き付けている状態を示す。
【図２７】外科用ステープラーのステープル留め及び除去後の組織及びバットレスの概略断面図であり、フラップを展開し、切除された表面及び反対側の組織表面に巻き付けている状態を示す。
【図２８】外科用ステープラーのステープル留め及び除去後の組織及びバットレスの概略断面図であり、フラップを展開し、切除された表面及び反対側の組織表面に巻き付けている状態を示す。
【図２９Ａ】カートリッジ上の単一層及び多層バットレスの実施形態の概略平面図を示す。
【図２９Ｂ】カートリッジ上の単一層及び多層バットレスの実施形態の概略平面図を示す。
【図２９Ｃ】カートリッジ上の単一層及び多層バットレスの実施形態の概略平面図を示す。
【図２９Ｄ】カートリッジ上の単一層及び多層バットレスの実施形態の概略平面図を示す。
【図２９Ｅ】カートリッジ上の単一層及び多層バットレスの実施形態の概略平面図を示す。
【図２９Ｆ】カートリッジ上の単一層及び多層バットレスの実施形態の概略平面図を示す。
【図３０Ａ】外科用ステープラーのステープル留め及び除去後の組織及び２層バットレスの概略断面図であり、フラップを展開し、切除された表面及び反対側の組織表面に巻き付けている状態を示す。
【図３０Ｂ】外科用ステープラーのステープル留め及び除去後の組織及び２層バットレスの概略断面図であり、フラップを展開し、切除された表面及び反対側の組織表面に巻き付けている状態を示す。
【図３０Ｃ】外科用ステープラーのステープル留め及び除去後の組織及び２層バットレスの概略断面図であり、フラップを展開し、切除された表面及び反対側の組織表面に巻き付けている状態を示す。
【図３０Ｄ】外科用ステープラーのステープル留め及び除去後の組織及び２層バットレスの概略断面図であり、フラップを展開し、切除された表面及び反対側の組織表面に巻き付けている状態を示す。
【図３０Ｅ】外科用ステープラーのステープル留め及び除去後の組織及び２層バットレスの概略断面図であり、フラップを展開し、切除された表面及び反対側の組織表面に巻き付けている状態を示す。
【図３１】フラップが折り畳まれている、組織対向面上に配置された２層バットレスを備えたカートリッジの略示断面図を示す。
【図３２】フラップが折り畳まれている、組織対向面上に配置された２層バットレスを備えたカートリッジの略示断面図を示す。
【図３３】アンビルに位置付けられたバットレスのいくつかの構成を示す。
【図３４】アンビルに位置付けられたバットレスのいくつかの構成を示す。
【図３５】アンビルに位置付けられたバットレスのいくつかの構成を示す。
【図３６Ａ】周縁フラップを備えたバットレス及び中央フラップを備えたバットレスの概略平面図であり、フラップを平坦な平面図と、更に折り畳まれた図と、で示す。
【図３６Ｂ】周縁フラップを備えたバットレス及び中央フラップを備えたバットレスの概略平面図であり、フラップを平坦な平面図と、更に折り畳まれた図と、で示す。
【図３６Ｃ】周縁フラップを備えたバットレス及び中央フラップを備えたバットレスの概略平面図であり、フラップを平坦な平面図と、更に折り畳まれた図と、で示す。
【図３６Ｄ】周縁フラップを備えたバットレス及び中央フラップを備えたバットレスの概略平面図であり、フラップを平坦な平面図と、更に折り畳まれた図と、で示す。
【図３７】中央フラップを有するバットレスを備えたカートリッジの概略断面図を示す。
【図３８】中央フラップを有するバットレスを備えたカートリッジの概略断面図を示す。
【図３９】中央フラップを有するバットレスを備えたカートリッジの概略断面図を示す。
【図４０】中央フラップを有するバットレスを備えたアンビルの概略断面図を示す。
【図４１】中央フラップを有するバットレスを備えたアンビルの概略断面図を示す。
【図４２】エンドエフェクタに設置された、切除及びステープル留め後の、中央フラップを有するバットレスを備えた、アンビルとカートリッジとの間に位置付けられた組織の略示断面図を示す。
【図４３Ａ】外科用ステープラーのステープル留め及び除去後の、組織及び中央フラップを有するバットレスの概略断面図であり、フラップを展開して、切除された表面及び反対側の組織表面に巻き付けている状態を示す。
【図４３Ｂ】外科用ステープラーのステープル留め及び除去後の、組織及び中央フラップを有するバットレスの概略断面図であり、フラップを展開して、切除された表面及び反対側の組織表面に巻き付けている状態を示す。
【図４３Ｃ】外科用ステープラーのステープル留め及び除去後の、組織及び中央フラップを有するバットレスの概略断面図であり、フラップを展開して、切除された表面及び反対側の組織表面に巻き付けている状態を示す。
【図４４Ａ】フラップが折り畳まれている、組織対向面上に配置された２層バットレスを備えた、カートリッジの省略断面図を示す。
【図４４Ｂ】フラップが折り畳まれている、組織対向面上に配置された２層バットレスを備えた、カートリッジの省略断面図を示す。
【図４４Ｃ】フラップが折り畳まれている、組織対向面上に配置された２層バットレスを備えた、カートリッジの省略断面図を示す。
【図４５Ａ】周縁フラップを備えたバットレス及び中央フラップを備えたバットレスの概略平面図であり、孔部又は開口部を有するフラップを、平坦な平面図で示す。
【図４５Ｂ】周縁フラップを備えたバットレス及び中央フラップを備えたバットレスの概略平面図であり、孔部又は開口部を有するフラップを、平坦な平面図で示す。
【発明を実施するための形態】
【００１５】
本発明の特定の実施例の以下の説明文は、本発明の範囲を限定する目的で用いられるべきではない。本発明の他の実施例、特徴、態様、実施形態、及び利点は、本発明を実施するために想到される最良の形態の１つを実例として示す以下の説明文より当業者には明らかとなろう。理解されるように、本発明には、いずれも本発明から逸脱することなく、他の異なる、かつ明白な態様が可能である。したがって、図面及び説明は、限定的な性質のものではなく、例示的な性質のものと見なされるべきである。
【００１６】
手術は、多くの場合、ステープル線に沿って組織の部分を任意選択で同時に切断しながら、２つ以上の組織層を共に接合することを伴う。外科用線形ステープル留め器具などの典型的な外科ステープル留め装置は、ステープル収容構成要素、及び対向するアンビル構成要素を有し、その間で、接合される少なくとも２つの組織層が、ステープル収容構成要素からステープルが送り出される前に圧縮され、それによって、ステープルが両方の組織層を穿孔し、対向するアンビル構成要素に接して曲げられ、変形され、又は閉じられる。線形外科用ステープラーでは、使い捨て式のステープル留めカートリッジがステープル収容構成要素であり、カートリッジは、カートリッジを保持するように適合された下側顎部などの装置の顎部に典型的に設置され、対向する、つまり上側顎部がアンビル構成要素である。カートリッジは、隣接する平行な列のステープルの間に配置され、ステープルの列の全長を実質的に延在するスロットを有する。ステープラーは、ステープルの発射手段、及びスロットに沿って可動である切断手段を含む。
【００１７】
図１〜図６をここで参照すると、外科用ステープル留め器具又はステープラーが示されており、これらの図は、その全体が参照により本明細書に組み込まれている米国特許公開第２０１５／０３７４３７３Ａ１「ＭＥＴＨＯＤ  ＯＦ  ＵＳＩＮＧ  ＬＯＣＫＯＵＴ  ＦＥＡＴＵＲＥＳ  ＦＯＲ  ＳＵＲＧＩＣＡＬ  ＳＴＡＰＬＥＲ  ＣＡＲＴＲＩＤＧＥ」から引用されたものである。
【００１８】
図１は、ハンドル組立体（２０）と、シャフト組立体（３０）と、エンドエフェクタ（４０）と、を備える例示の外科用ステープル留め及び切断器具（１０）を示す。エンドエフェクタ（４０）及びシャフト組立体（３０）の遠位部分は、外科的処置を行うために、図１に描写されるような非関節動作状態で、トロカールカニューレを通って患者内の手術部位まで挿入するように寸法決めされている。ほんの一例として、患者の腹部内に、患者の２本の肋骨の間に、又はその他の部位に、かかるトロカールを挿入してもよい。一部の状況では、器具（１０）は、トロカールなしで使用される。例えば、エンドエフェクタ（４０）及びシャフト組立体の遠位部分（３０）を、開胸術又は他の種類の切開によって直接挿入することができる。本明細書では、「近位」及び「遠位」といった用語は、器具（１０）のハンドル組立体（２０）を握っている臨床医を基準として使用されていることを理解されたい。したがって、エンドエフェクタ（４０）は、より近位にあるハンドル組立体（２０）に対して遠位にある。便宜上、また説明を明確にするため、本明細書では「垂直」及び「水平」といった空間的用語が、図面に対して使用されている点も更に理解されるであろう。しかしながら、外科器具は、多くの向き及び位置で使用されるものであり、これらの用語は、限定的かつ絶対的なものであることを意図するものではない。
【００１９】
図１〜２に示すように、本例のハンドル組立体（２０）は、ピストルグリップ（２２）、閉鎖トリガー（２４）、及び発射トリガー（２６）を含む。それぞれのトリガー（２４、２６）は、ピストル把持部（２２）に向かって、かつそれから離れるように選択的に枢動可能である。ハンドル組立体（２０）は、アンビル解放ボタン（２５）と、発射ビーム反転スイッチ（２７）と、取り外し可能な電池パック（２８）と、を更に備えている。ハンドル組立体（２０）は、上記したもののいずれかに加えて又はその代わりに様々な他の構成要素、特徴、及び動作性を有することができる。
【００２０】
図１〜図３に示すように、本例のシャフト組立体（３０）は、外側閉鎖管（３２）、関節運動区分（３４）、及び閉鎖用リング（３６）を備え、それは、更にエンドエフェクタ（４０）に連結する。閉鎖チューブ（３２）はシャフト組立体（３０）の長さに沿って延在する。閉鎖リング（３６）は、関節運動部（３４）の遠位に位置付けられている。閉鎖管（３２）及び閉鎖用リング（３６）は、ハンドル組立体（２０）に対して長手方向に並進するように構成されている。閉鎖チューブ（３２）の長手方向並進運動は、関節運動部（３４）を介して閉鎖リング（３６）に伝達される。
【００２１】
関節運動部（３４）は、シャフト組立体（３０）の長手方向軸（ＬＡ）から所望の角度（ａ）で横方向へ離れるように、閉鎖リング（３６）とエンドエフェクタ（４０）を横方向に偏向させるよう動作可能である。エンドエフェクタ（４０）は、そのようにして、所望の角度から又は他の理由のために、臓器の背後に到達するか又は組織に近付くことができる。一部の形態においては、関節運動区分（３４）は、単一の平面に沿ってエンドエフェクタ（４０）を偏向させることができる。その他の一部の形態では、関節運動区分（３４）により、２つ以上の平面に沿ってエンドエフェクタを偏向させることができる。本例では、関節運動は、シャフト組立体（３０）の近位端に位置する関節運動制御ノブ（３５）によって制御される。ノブ（３５）は、シャフト組立体（３０）の長手方向軸線（ＬＡ）に対して垂直な軸線を中心として回転可能である。閉鎖用リング（３６）及びエンドエフェクタ（４０）は、ノブ（３５）の回転に反応してシャフト組立体（３０）の長手方向軸（ＬＡ）に垂直な軸の周りを枢動する。ほんの一例として、ノブ（３５）が時計回りに回転すると、関節運動区分（３４）において閉鎖用リング（３６）及びエンドエフェクタ（４０）が対応して時計回りに枢動する。関節運動部（３４）は、関節運動部（３４）が真っ直ぐな構成であるか、又は関節運動構成であるかにかかわらず、閉鎖管（３２）が閉鎖用リング（３６）まで長手方向に並進するのを伝達するように構成されている。
【００２２】
図１〜２に示すように、本例のシャフト組立体（３０）は更に、回転ノブ（３１）を含む。回転ノブ（３１）は、シャフト組立体（３０）の長手方向軸（ＬＡ）の周りを、ハンドル組立体（２０）に対して、全シャフト組立体（３０）及びエンドエフェクタ（４０）を回転するように動作可能である。一部の形態では、回転ノブ（３１）は、シャフト組立体（３０）の長手方向軸線（ＬＡ）の周りを、ハンドル組立体（２０）に対して、シャフト組立体（３０）及びエンドエフェクタ（４０）の角度位置を選択的に係止するように動作可能である。例えば、回転ノブ（３１）は、シャフト組立体（３０）及びエンドエフェクタ（４０）がシャフト組立体（３０）の長手方向軸線（ＬＡ）の周りをハンドル組立体（２０）に対して回転可能である第１の長手方向位置と、シャフト組立体（３０）及びエンドエフェクタ（４０）がシャフト組立体（３０）の長手方向軸線（ＬＡ）の周りを、ハンドル組立体（２０）に対して回転できない第２の長手方向位置との間で並進可能である。当然のことながら、シャフト組立体（３０）は、上記のもののいずれかに加えて又はその代わりに、種々のその他の構成要素、特徴、及び動作性を有してよい。
【００２３】
図１〜３にも示されているように、本例のエンドエフェクタ（４０）は、下側ジョー（５０）及び枢動可能なアンビル（６０）を含む。アンビル（６０）は、下側ジョー（５０）の対応する湾曲スロット（５４）に配置されている一対の一体的な、外側に延在するピン（６６）を含む。ピン（６６）及びスロット（５４）を図５に示す。アンビル（６０）は、開放位置（図２及び図４に示す）と閉鎖位置（図１、図３に示す）との間で、下側顎部（５０）に向かって、かつそれから離れるように、枢動可能である。図５に示されるように、本例の下側顎部（５０）は、ステープルカートリッジ（７０）を受容するように構成されたチャネル（５２）を画定する。ステープルカートリッジ（７０）はチャネル（５２）に挿入することができ、エンドエフェクタ（４０）を作動し、その後、ステープルカートリッジ（７０）を取り外し、別のステープルカートリッジ（７０）と交換することができる。したがって、下側ジョー（５０）は、エンドエフェクタ（４０）を作動するためのアンビル（６０）と位置合わせされてステープルカートリッジ（７０）を解放可能に保持する。
【００２４】
図４〜図７に示されるように、本例のステープルカートリッジ（７０）はカートリッジ本体（７１）と、カートリッジ本体（７１）の下面に固定されたトレー（７６）を備える。カートリッジ本体（７１）の上面は、アンビル（６０）が閉鎖位置にあるとき、組織を圧縮できるデッキ（７３）を提示する。カートリッジ本体（７１）は、長手方向に延在するチャネル（７２）及び複数のステープルポケット（７４）を更に画定する。ステープル（７７）は、それぞれのステープルポケット（７４）内に位置付けられる。またステープルドライバ（７５）は、それぞれのステープルポケット（７４）内で、対応するステープル（７７）の下に、かつトレー（７６）の上に位置付けられる。ステープルドライバ（７５）は、ステープルポケット（７４）内で上方に並進運動するよう動作可能であり、それによってステープル（７７）を、ステープルポケット（７４）を通って上方に駆動し、アンビル（６０）と係合させる。ステープルドライバ（７５）は、楔形スレッド（７８）により上向きに駆動され、この楔形スレッドはカートリッジ本体（７１）とトレー（７６）との間に捕捉されており、これがカートリッジ本体（７１）を通って長手方向に並進運動する。楔形スレッド（７８）は、一対の傾斜した角度のカム表面（７９）を含み、それらは、ステープルドライバ（７５）と係合し、それによって、楔形スレッド（７８）がカートリッジ（７０）を通って長手方向に並進するにつれてステープルドライバ（７５）を上方に駆動するように構成されている。
【００２５】
ステープルカートリッジ（７０）を多様な方法で変更できることを理解されたい。例えば、本例のステープルカートリッジ（７０）は、チャネル（７２）の一方の側に、長手方向に延在する２列のステープルポケット（７４）を含み、チャネル（７２）の他方の側に別の組の長手方向に延在する２列のステープルポケット（７４）を含む。しかし、他の一部の形態では、ステープルカートリッジ（７０）は、チャネル（７２）の両側において３つ、１つ、又は他の数のステープルポケット（７４）を含む。
【００２６】
図４に示されるように、本例のアンビル（６０）は、長手方向に延在するチャネル（６２）と、複数のステープル成形ポケット（６４）と、を備える。チャネル（６２）は、アンビル（６０）が閉鎖位置にあるとき、ステープルカートリッジ（７０）のチャネル（７２）と整列するように構成されている。ステープル成形ポケット（６４）はそれぞれ、アンビル（６０）が閉鎖位置にあるとき、ステープルカートリッジ（７０）の対応するステープルポケット（７４）の上に置かれるように位置付けられている。ステープル成形ポケット（６４）は、ステープル（７７）が組織を通してアンビル（６０）の中に駆動されるとき、ステープル（７７）の脚部を変形させるように構成されている。特に、ステープル成形ポケット（６４）は、成形されたステープル（７７）を組織内で固定するためにステープル（７７）の脚部を曲げるように構成されている。
【００２７】
本例では、ナイフ部材（８０）は、エンドエフェクタ（４０）を通って並進するように構成されている。図５に示されるように、ナイフ部材（８０）は、発射ビーム（８２）の遠位端に固定されている。図４及び図６に示されるように、ナイフ部材（８０）は、アンビル（６０）及びステープルカートリッジ（７０）のチャネル（６２、７２）内に位置付けられている。ナイフ部材（８０）は、ナイフ部材（８０）がエンドエフェクタ（４０）を通して遠位に並進するにつれて、アンビル（６０）とステープルカートリッジ（７０）のデッキ（７３）との間で圧縮されている組織を切断するように構成されている遠位に提示される切断縁部（８４）を備える。
【００２８】
一部の形態では、エンドエフェクタ（４０）は、ステープルカートリッジ（７０）が下側ジョー（５０）に挿入されていないときに、ナイフ部材（８０）がエンドエフェクタ（４０）を通して遠位側に前進するのを防止するように構成されているロックアウト機構を含む。追加的にあるいは代替的に、エンドエフェクタ（４０）は、１回作動された後のステープルカートリッジ（７０）（例えば、全てのステープル（７７）がそこから展開された）が下側ジョー（５０）に挿入されているときに、ナイフ部材（８０）がエンドエフェクタ（４０）を通して遠位側に前進するのを防止するように構成されているロックアウト機構を含み得る。あるいは、エンドエフェクタ（４０）は単に、そのようなロックアウト機構を省略してもよい。
【００２９】
本例において、アンビル（６０）は、閉鎖用リング（３６）をエンドエフェクタ（４０）に対して遠位側に前進させることによって、下側ジョー（５０）に向かって駆動される。閉鎖用リング（３６）は、カム作用を介してアンビル（６０）と協働し、エンドエフェクタ（４０）に対する閉鎖用リング（３６）の遠位への並進に反応してアンビル（６０）を下側ジョー（５０）に向かって駆動する。同様に、閉鎖用リング（３６）は、アンビル（６０）と協働し、エンドエフェクタ（４０）に対する閉鎖用リング（３６）の近位側への並進に反応してアンビル（６０）を下側ジョー（５０）から離れて開放することができる。
【００３０】
上記したように、ハンドル組立体（２０）は、ピストル把持部（２２）と、閉鎖トリガー（２４）とを含む。また、上記したように、アンビル（６０）は、閉鎖用リング（３６）の遠位前進に反応して下側ジョー（５０）に向かって閉鎖される。本例において、閉鎖トリガー（２４）は、閉鎖管（３２）及び閉鎖用リング（３６）を遠位側に駆動させるように、ピストル把持部（２２）に向かって枢動可能である。本明細書の教示を考慮することで、ピストル把持部（２２）に向かう閉鎖トリガー（２４）の枢軸運動を、ハンドル組立体（２０）に対する閉鎖管（３２）及び閉鎖用リング（３６）の遠位への並進に変換するのに使用され得る様々な好適な構成要素が、当業者には明らかであろう。閉鎖トリガー（２４）は、アンビル（６０）が、下側ジョー（５０）に対して完全な閉鎖位置になるような完全な枢動状態に達するとき、ハンドル組立体（２０）のロック機構は、トリガー（２４）及び閉鎖管（３２）の位置を係止し、それによってアンビル（６０）を下側ジョー（５０）に対して完全な閉鎖位置に係止する。これらの係止機構は、アンビル解放ボタン（２５）の作動によって解放される。アンビル解放ボタン（２５）は、ピストル把持部（２２）をつかむオペレータの手の親指で作動されるように構成され、位置付けられている。言い換えると、オペレータは、ピストル把持部（２２）を片手でつかみ、閉鎖トリガー（２４）を同じ手の１本又は２本以上の指で作動し、その後、同じ手によるピストル把持部（２２）のつかみを解放する必要なく、アンビル解放ボタン（２５）を同じ手の親指で作動することができる。他の好適な特徴を使用して、アンビル（６０）を作動することもできる。
【００３１】
図８をここで参照すると、その全体が参照により本明細書に組み込まれている米国特許第５，２７５，３２３号「Ｓｕｒｇｉｃａｌ  ｓｔａｐｌｅｒ」から得た図と共に、代替の例示的な外科用ステープル留め器具又は線形ステープラー装置が示されている。図８に見られるように、外科用ステープラー１１は、上片３００、発射手段４００、下片５００、及びステープルカートリッジ６００を備える。
【００３２】
ステープルカートリッジ６００は、下片５００内に嵌合する。具体的には、ステープルカートリッジ６００の前部は、下側顎部溝５４０に嵌合する。より具体的には、ステープルカートリッジ６００の平行な側壁６１０は、下側顎部溝５４０内に嵌合する。ステープルカートリッジ６００の後部は、破壊可能な横方向部材６６０を有する。この破壊可能な横方向部材６６０は、発射手段４００のカートリッジロック手段４７０の上に定置される。同時に、後方に延在する表面６２０内の２つの脚部６５０は、ステープルカートリッジ６００を下片５００に固定する。
【００３３】
図８では、上片３００は、後方上ハンドル部３１０及び前方上側顎部又はアンビル３２０を有する。同様に、下片５００は、後方可動下ハンドル部５１０及び前方下側顎部５３０を含む。図８に例示される外科用ステープラーの実施形態は、発射手段４００、板ばね５７０、及びステープルカートリッジ６００を下片５００に組み込む。しかしながら、これらの要素は、下片５００の代わりに上片３００に配置されてもよい。
【００３４】
図８に例示される下ハンドル部５１０は可動であり、より具体的には、２つのロック位置の間で枢動可能である。第１のロック位置において、可動下ハンドル部５１０は、斜角で下側顎部５３０に位置付けられる。第１のロック位置にある間、下ハンドル５１０のＣ字型部材５２０は、静止ロックピン３３０から係合解除される。上片３００及び下片５００はそれぞれ、ステープラー１１の操作の前又は後に第１のロック位置において分離されてもよい。その一方で、第２のロック位置において、可動下ハンドル５１０のＣ字型部材５２０は、上片３００及び下片５００を共にロックする。第２のロック位置において、可動下ハンドル部５１０は下側顎部５２０と平行である。この第２のロック位置は、静止ロックピン３３０をＣ字型部材５２０と係合することにより起こる。この可動ハンドル部の設計は、上ハンドル部３１０及び下ハンドル部５１０それぞれの上にあってもよい。
【００３５】
発射ノブ５９０は発射手段４００を作動させる。また、発射手段４００は、ルーフ組立体７００も含み、同様に、ナイフ刃組立体４４０のような切断手段も有する。切断面４５０は、ナイフ刃組立体４４０に含まれている。ナイフ刃組立体が図８に例示されているが、組織は、ナイフ刃又はカミソリ刃の切断以外の多くの方法で切断されてもよい。
【００３６】
ナイフ刃組立体４４０がスロット６４０と整列しているとき、発射ノブ５９０は、ステープルカートリッジ６００に向かって手動で押される。発射ノブ５９０を押すことで、ナイフ刃組立体４４０がステープルカートリッジ６００に向かって前方へ動かされる。次に、ナイフ切断面４５０がステープルカートリッジ６００のスロット６４０を通って動かされ、ステープルをステープルカートリッジ６００から長手方向スロット６３０を通って同時に前進させる。ステープルカートリッジ６００のいくつかの実施形態では、ナイフ刃組立体は、ステープルカートリッジ６００に組み込まれる。
【００３７】
外科用ステープラー１０、１１の他のバージョン及び修正は当業者に既知であり、全て、ステープル７７（ステープルは図８に示されていない）を収容する複数のステープルポケット７４又は長手方向スロット６３０を有するステープルカートリッジ７０又は６００を含み、ステープルポケット７４又は長手方向スロット６３０は典型的に、長手方向に延在するチャネル７２又はスロット６４０の両側で１つ又はいくつかの列に配置される。典型的には、ステープルポケット７４又は長手方向スロット６３０の少なくとも２つ及びしばしば少なくとも３つの列が、長手方向に延在するチャネル７２又はスロット６４０のそれぞれの側に存在し、それぞれの列のステープルポケット７４又は長手方向スロット６３０は、ステープル留め線に沿って封着を向上させ、漏れを防ぐために、隣接する列のポケット又はスロットに対して典型的には互い違い又はオフセットに配置される。
【００３８】
以下の説明では、図１〜図７に関連付けられた記述子及び参照番号が、図８に示されるような代替構造も使用され得るという理解の下で、一貫性を保つために使用される。このように、ステープルカートリッジを参照するとき、図１〜図７の参照番号７０は、本開示が図８のステープルカートリッジ６００にも適用可能であるという理解の下で使用される。
【００３９】
図９及び図１０をここで参照すると、本発明により、織物、布、編物、フェルト、不織布、発泡体、メッシュなど、吸収性又は非吸収性の実質的に平坦な可撓性材料を含む、バットレス１００又は１００ａが提供されており、バットレス１００又は１００ａは、ステープル留めの前に、カートリッジ７０の組織対向面１７０上又はアンビル６０の組織対向面１６０上に少なくとも部分的に配置される。バットレス１００又は１００ａは、明確にするために半透明で示されているが、不透明にすることもできる。いくつかの実施形態では、バットレス１００又は１００ａは、カートリッジ７０の組織対向面１７０又はアンビル６０の組織対向面１６０の幅より実質的に広く、バットレス１００又は１００ａの余剰幅は、周縁フラップ１１０又は１１０ａを備える。バットレス１００又は１００ａは、ステープルポケット７４を少なくとも部分的に覆い、好ましくはステープルポケット７４を完全に覆っている。
【００４０】
図１１を参照すると、組織対向面１７０上に配置されたチャネル７２及びバットレス１００（明確にするために半透明で表示）のそれぞれの側に２列のステープルポケット７４を備えた、カートリッジ７０の略示平面図が提示されており、チャネル７２の上部及びその周囲のバットレス１００は、本質的に対称の構成であり、周縁フラップ１１０は、カートリッジ７０の両側に対称的に延在している。周縁フラップ１１０は、周縁フラップ１１０の幅を示す矢印によって概略的に指示され、ステープルの配備後に折り畳み可能なバットレス１００の一部を示している。
【００４１】
図１２を参照すると、組織対向面１７０に配置されたチャネル７２及びバットレス１００のそれぞれの側に２列のステープルポケット７４を備えた、カートリッジ７０の略示正面断面図が提示されており、周縁フラップ１１０は、バットレス１００の上で少なくとも１回折り返して収納され、いずれのステープルポケット７４の上にも周縁フラップ１１０はなく、ステープルポケット７４からステープル（簡略化のため、ステープルは図示せず）の配備の際に周縁フラップ１１０がステープル留めされることを防止している。バットレス１００の上及びそれ自体の上で２回折り返して収納された、周縁フラップ１１０が示されている。図１３を参照すると、バットレス１００の上及びそれ自体の上で４回折り返して収納された、又は蛇腹状に折り畳まれた、周縁フラップ１１０が示されている。任意の数の折り目を使用して、バットレスの周縁フラップの必要な幅を得ることができる。図１４、図１５、図１６を参照すると、組織対向面１７０の下方若しくは上方に、又は組織対向面１７０とほぼ水平に位置付けられたロール状に巻かれて収納された、周縁フラップ１１０が示されている。図１７を参照すると、カートリッジ本体７１に沿って曲げられ収納された、周縁フラップ１１０が示されている。
【００４２】
図１８及び図１９を参照すると、カートリッジ７０の組織対向面１７０内に形成され、組織対向面１７０の周縁のチャネル７２の両側でチャネル７２に平行して走る、長手方向の空洞又は溝又は凹部１７２を備えた、カートリッジ７０の一実施形態が示されており、ステープルポケット７４の列は、長手方向の空洞又は溝１７２とチャネル７２との間に存在している。図１８には、簡略化のためにバットレス１００は示されていないが、図１９に見られ得るように、バットレス１００の周縁フラップ１１０は、空洞又は溝１７２の中に充填されている。
【００４３】
図２０〜図２２をここで参照すると、図６と同様に、図４の線６−６に沿って取られた、図３のエンドエフェクタの端面断面図が示されており、簡略化のためにナイフ部材８０組立体は示されておらず、周縁フラップ１１０を備えたバットレス１００が概略的に示されている。図２０は、図１５又は図１７の実施形態に類似する一実施形態を示している。図２１は、図１２又は図１３の実施形態に類似する一実施形態を示している。図２２は、図１９の実施形態に類似する一実施形態を示している。
【００４４】
全ての実施形態では、ステープルの配備中に周縁フラップ１１０がステープル留めされることを防止するため、周縁フラップ１１０は、ステープルポケット７４の外側に収納される。周縁フラップ１１０は、カートリッジ７０の周縁で、チャネル７２及び反対側のチャネル７２の遠位に収納され、ステープルポケット７４は、周縁フラップ１１０とチャネル７２との間に存在している。
【００４５】
周縁フラップ１１０は、組織が切除された縁部の上に配備される／折り畳まれる前に、１回若しくは２回以上それ自体の上で巻かれることによって収納されるか、１つ若しくは２つ以上の層で蛇腹形状に折り畳まれるか、カートリッジ７０上で１つ若しくは２つ以上の層に折り畳まれるか、又は後で展開しやすいように同様に充填される。
【００４６】
図２３を参照すると、カートリッジ７０を備えた下側顎部５０とアンビル６０との間で圧縮された、切除及びステープル留めされる組織層Ｔ１及びＴ２の略示断面図が提示されている。カートリッジ７０上に配置され、組織Ｔ２に接触しているバットレス１００を備えた、カートリッジ７０が示されており、周縁フラップ１１０は、図１９の実施形態に示されているように、溝１７２に充填されている。明確に言えば、ステープルポケット７４の外側にある周縁フラップ１１０の任意の他の構成を使用することができる。図２３の構成は、ステープル７７（図２３には図示せず）を配備し、ステープル７７を組織Ｔ１及びＴ２を介してアンビル６０へ駆動する直前、なおかつナイフ部材８０（図２３には図示せず）がチャネル７２を介して並進し、ステープル留めされた組織Ｔ１及びＴ２を切除する直前の位置に対応している。
【００４７】
図２４を参照すると、ステープル７７を配備し、組織層Ｔ１及びＴ２を切除した後の位置の、略示断面図が提示されている。バットレス１００は、ステープル７７により組織Ｔ１及びＴ２にステープル留めされ、ナイフ部材８０（図２３には図示せず）が組織を切除／切断するときのナイフ部材８０の作用によって２等分される。
【００４８】
図２５を参照すると、ステープラー１０の開放後、すなわち、ステープル留めしてステープラー１０を取り外した後の下側顎部５０とアンビル６０との分離後の位置の、略示断面図が提示されている。バットレス１００は、ステープル７７によって、ステープル留め及び切除された組織Ｔ１及びＴ２に取り付けられたままである。周縁フラップ１１０を備えたバットレス１００は、カートリッジ７０から分離されており、周縁フラップ１１０は、溝１７２内のその収納位置から移動している。簡略化のため、切除された組織層Ｔ１及びＴ２の一方の側のみが示されている。組織層Ｔ１及びＴ２は、露出された切除縁部１２０を形成している。
【００４９】
周縁フラップ１１０は、次いで、図２５に矢印で概略的に指示されているように、その折り畳まれた格納位置から展開され、ひっくり返されて又は折り返されて、切除された縁部１２０に巻き付けられ、結果的に、図２６Ａに示された周縁フラップ１１０の位置となる。見て分かるように、周縁フラップ１１０は、バットレス１００のステープル留め領域から、すなわち、縁部１２０から最も離れたステープル７７の列から、折り畳みが始まる。
【００５０】
周縁フラップ１１０は、組織Ｔ２、縁部１２０、及び組織Ｔ１の少なくとも一部にあるバットレスのステープル留め領域を覆っている。有利には、バットレス１００の周縁フラップ１１０は、切除された縁部１２０を覆い、それによって止血及び組織の封着を補助し、治癒を改善し、癒着を防止する。バットレス１００は、組織Ｔ２とバットレスの一方の面で接触し、縁部１２０及び組織Ｔ１とバットレス１００の反対側の面で接触している。いくつかの実施形態では、図２６に示すように、周縁フラップ１１０は、組織Ｔ１のステープル留め領域の向こうまでを覆っている。いくつかの実施形態では、図２７に示すように、周縁フラップ１１０は、組織Ｔ１の小部分のみを覆い、組織Ｔ１のステープル留め領域を覆っていない。
【００５１】
周縁フラップ１１０は、組織縁部１２０及び反対側の組織Ｔ１と、組織Ｔ１とは接触していないバットレス１００の側で、すなわち、組織Ｔ１と接触しているバットレスの側の反対側となるバットレス１００の側で接触している。
【００５２】
周縁フラップ１１０は、外科医により、外科用把持器具などの任意の利用可能なツールを使用して、又は手動で操作される。
【００５３】
上の操作説明は、図１９、図２２の実施形態に関して提供されているが、同様の動作順序及び位置により、本発明の他の実施形態、すなわち、アンビル６０上又はカートリッジ７０上の周縁フラップ１１０の収納の他の構成に関しても結果をもたらすことを理解されたい。
【００５４】
上の説明は、組織Ｔ１及びＴ２の２つの層の接合及び切除を主に参照しながら提供されている。ただし、３つ以上の組織層を接合するため、又は１つの組織層を切除して閉鎖するために、同じ動作及び構造的アプローチを適用することができる。図２６Ｂを参照すると、図２６Ａと同様の位置が提示されているが、図２６ＢではＴとして指定され、表面Ｓ１及びＳ２を有する１つの組織層のみが切除され、ステープル留めされているという点で異なり、表面Ｓ２は組織Ｔ２に対応し、表面Ｓ１は組織Ｔ１に対応している。
【００５５】
いくつかの実施形態では、任意の固定手段が、縁部１２０上及び／又は組織Ｔ１上に固着する周縁フラップ１１０用に提供される。より好ましい実施形態では、周縁フラップ１１０は、少なくとも組織Ｔ１上に固着するための手段を有する。
【００５６】
図２７を参照すると、一実施形態では、組織Ｔ２の外方を向くバットレス１００の側に、接着剤コーティング又は接着層１３０が提供され、少なくとも周縁フラップ１１０の周縁にある接着層１３０ａは、組織Ｔ１と接触している。任意追加的に、縁部１２０と接触する周縁フラップ１１０の領域に、接着層１３０ｂが存在してもよい。また、任意追加的に、バットレス１００のステープル留め領域に接触する周縁フラップ１１０の領域に、接着層１３０ｃが存在してもよい。任意追加的に、組織Ｔ２の外方を向くバットレス１００の側全体が、接着層（図示せず）に覆われてもよい。
【００５７】
周縁フラップ１１０が、切除された縁部の上で折り畳まれ、組織Ｔ１と接触すると、周縁フラップ１１０は、接着層１３０の作用により、組織縁部１２０及び／又は組織Ｔ１に固定される。水分、血液、及び／又は湿った組織との接触により活性化される、多数の生体適合性組織接着剤及び封止剤が既知であり、使用することができる。このような生体適合性接着剤としては、フィブリン糊など、様々な架橋剤単体か又はタンパク質などの付加剤との組み合わせが挙げられ、これらは当事者に既知である。
【００５８】
米国特許第６，４５８，１４７号「Ｃｏｍｐｏｓｉｔｉｏｎｓ，ｓｙｓｔｅｍｓ，ａｎｄ  ｍｅｔｈｏｄｓ  ｆｏｒ  ａｒｒｅｓｔｉｎｇ  ｏｒ  ｃｏｎｔｒｏｌｌｉｎｇ  ｂｌｅｅｄｉｎｇ  ｏｒ  ｆｌｕｉｄ  ｌｅａｋａｇｅ  ｉｎ  ｂｏｄｙ  ｔｉｓｓｕｅ」は、体内組織からの血液又は流体の流れを阻止するために適用される、生体適合性及び生分解性ヒドロゲル化合物を開示する。この化合物は、好ましくは、アルブミンを含むタンパク質を含み、このタンパク質は、ポリ（エチレン）グリコール（ＰＥＧ）を含むポリマー、最も好ましくは、多アームＰＥＧポリマーと混合される。
【００５９】
米国特許公開第２００６／００６２７６８号「Ｂｉｏｃｏｍｐａｔｉｂｌｅ  ｈｙｄｒｏｇｅｌ  ｃｏｍｐｏｓｉｔｉｏｎｓ」は、求核成分を混合した生体適合性合成求電子成分を開示する。この求電子成分は、官能化求電子性ポリ（無水物エステル）材料を含み得る。求核材料は、タンパク質を含み得る。この成分は、水分に曝されると、架橋することで反応し得る。
【００６０】
米国特許公開第２０１１／０１０４２８０号「Ｗｏｕｎｄ  ｔｒｅａｔｍｅｎｔ  ｓｙｓｔｅｍｓ，ｄｅｖｉｃｅｓ，ａｎｄ  ｍｅｔｈｏｄｓ  ｕｓｉｎｇ  ｂｉｏｃｏｍｐａｔｉｂｌｅ  ｓｙｎｔｈｅｔｉｃ  ｈｙｄｒｏｇｅｌ  ｃｏｍｐｏｓｉｔｉｏｎｓ」は、例えば、マルチアームポリ（エチレングリコール）（ＰＥＧ）アミンとも混合され得る、５０００Ｍ／Ｗ当たり少なくとも２０の多数の活性表面リシンを有するポリペプチド部分を含む、本質的にアルブミン及び他の生体分子を含まない生体適合性、合成、求核性ポリマーと混合される、マルチアームポリ（エチレングリコール）（ＰＥＧ）スクシンイミジルグルタレートを開示する。
【００６１】
米国特許公開第２０１４／０３６９９９１Ａ１号「Ｆｏｒｍｕｌａｔｉｏｎｓ  ｆｏｒ  Ｗｏｕｎｄ  Ｔｈｅｒａｐｙ」は、創傷又は怪我の治療に使用するため、特に局所止血組成物として若しくは外科的介入に使用するためのフィブリノーゲン及び／又はトロンビンの混合物からなる乾燥粉末フィブリンシーラントを含む製剤を開示する。
【００６２】
上記の特許及び特許出願は、参照により本明細書に組み込まれる。
【００６３】
一実施形態では、接着剤は、アルブミン及び架橋剤などの乾燥タンパク質から形成される。架橋剤は、４アームポリエチレングリコールスクシンイミジルグルタレート（ＰＥＧ−ＳＧ４、スクシンイミジルＰＥＧ  ＮＨＳ、テトラ官能性ポリ（エチレングリコール）スクシンイミジルグルタレートとも称される）によって例示される。タンパク質及び架橋剤は、水分又は血液に曝されたときに、接着層１３０ａ、１３０ｂ、１３０ｃ又は組織Ｔ２の外方を向くバットレス１００の側全体の接着層を形成する、周縁フラップ１１０上に配置されるか又はその中に含浸される。接着剤は、水分又は血液に曝されると活性化し、その結果、周縁フラップ１１０が縁部１２０及び／又は組織Ｔ１に接着剤で付着される。
【００６４】
一実施形態では、接着剤は、乾燥前駆物質からフィブリノーゲン及びトロンビンなどのフィブリン糊へ形成され、水分若しくは血液に曝されたときに、接着層１３０ａ、１３０ｂ、１３０ｃ又は組織Ｔ２の外方を向くバットレス１００の側全体の接着層を形成する、周縁フラップ１１０上に配置されるか又はその中に含浸される。水分と接触すると、フィブリンが形成され、その結果、周縁フラップ１１０が縁部１２０及び／又は組織Ｔ１に接着剤で付着される。
【００６５】
図２８に示す一実施形態によると、かかり付きピン１３５などの１つ又は２つ以上のミニチュアアンカーが、組織Ｔ１に接触し、図２７の領域１３０ａに対応する、周縁フラップ１１０の周縁の領域内の周縁フラップ１１０上に提供される。
【００６６】
一実施形態によると、周縁フラップ１１０は、乾燥コラーゲン発泡体、ＯＲＣシート、ＰＥＧ−ＳＧコーティングの生体吸収性シート、フィブリノーゲン及び／又はトロンビンコーティングのシート、ゼラチン、キトサンなどの天然又は天然合成複合材料、並びにそれらの組み合わせなど、湿った組織表面に自己接着する材料から作製される。他の材料が使用されてもよい。
【００６７】
別の実施形態によると、周縁フラップ１１０は、粘膜付着性組成物など、湿った組織に対する高い付着力を有する、水分活性化組成物によってコーティングされる。
【００６８】
図２９Ａをここで参照すると、カートリッジ７０上に展開された真っ直ぐな構成で配置されている、バットレス１００の概略断面図が提示されている。ステープルポケット７４内のステープル（図示せず）によってステープル留めされる、バットレス１００の中央のステープル留め部分又は領域の幅は、矢印「ＣＳＰ」によって指定されており、これは、バットレス１００の中央のステープル留め部分を示している。周縁フラップ１１０がステープル留めされていない、バットレス１００の周縁に位置するバットレス１００の周縁フラップ１１０の幅は、矢印「ＰＦ」によって指定されており、これは、周縁フラップの幅を示している。ステープル留めされて切除されるときに、バットレス１００は、チャネル７２に沿って半分に切断され、周縁フラップ１１０の幅ＰＦ全体が後方に折り返されて、切除された組織（図示せず）に巻き付けられ得る。周縁フラップ１１０の幅ＰＦは、ステープル留めされていない、チャネル７２の遠位のバットレス１００の領域として画定され、バットレスのステープル留め部分の上に折り畳まれ得る。
【００６９】
バットレス１００、１００ａの中央のステープル留め部分の幅は、この部分がステープル留め領域を覆うように、又はステープルポケット７４又はステープル成形ポケット６４を覆うように構成される。いくつかの実施形態では、バットレス１００、１００ａの中央のステープル留め部分の幅は、組織対向面１７０又は１６０の幅の約０．５〜約１．０倍、例えば、組織対向面１７０又は１６０の幅の０．７倍、０．８倍、０．９倍、１．０倍である。
【００７０】
周縁フラップ１１０、１１０ａの幅は、周縁フラップが後方に折り返され、切除された組織縁部１２０に巻き付けられ得るように構成される。いくつかの実施形態では、それぞれの周縁フラップの幅は、組織対向面１７０又は１６０の幅の少なくとも２分の１以上、例えば、組織対向面１７０又は１６０の幅の０．６倍、０．７倍、０．８倍、０．９倍、１倍、１．２倍、１．５倍、２倍である。
【００７１】
図２９Ａを更に参照すると、一実施形態では、バットレス１００は、均一な厚さの材料の単一層からなる。代替の実施形態では、図２９Ｂ〜図２９Ｆをここで参照すると、バットレス１００は、非均一な厚さの多層材料又は単一層材料からなる。
【００７２】
図２９Ｂを参照すると、一実施形態では、バットレス１００は、２層構造物を含み、周縁フラップ１１０は、カートリッジ７０に面し、組織縁部に巻き付けられるように適合されている一方、バットレス１００の第２の層１１１は、任意追加的に可撓性の低い、かつ任意追加的により厚い材料であり、組織の支持及び／又はステープル線の補強用に最適化され、反対側の組織Ｔ２を保持するように適合されている。図３０Ａは、ステープル留め及び切除後の図２９Ｂの実施形態を示し、周縁フラップ１１０は、組織に巻き付けられて、組織Ｔ１上に位置付けられ、第２の層１１１は、ステープル留め後に組織Ｔ２と接触したままとなる。有利には、層１１１による組織の支持及び／又はステープル線の補強と同時に、周縁フラップ１１０による切除された縁部１２０の被覆が提供される。このように、カートリッジ７０に直接面して配置された可撓性周縁フラップ１１０のみが、切除された縁部の上で折り返され、第２の層１１１は、ステープル留めされた組織を補強するために用いられる。
【００７３】
図２９Ｃを参照すると、一実施形態では、バットレス１００は、２層構造物を含み、周縁フラップ１１０は、カートリッジ７０に面し、組織縁部に巻き付けられるように適合されている一方、バットレス１００の第２の層１１２は、任意追加的に可撓性の低い、かつ任意追加的により厚い材料であり、ステープル線の補強及び／又は組織の厚さの補償用に最適化され、ステープル留めされて反対側の組織Ｔ２を保持するように適合されている。図３０Ｂは、ステープル留め及び切除後の図２９Ｃの実施形態を示し、周縁フラップ１１０は、組織に巻き付けられて、組織Ｔ１上に位置付けられ、第２の層１１２は、ステープル留め後に組織Ｔ２と接触したままとなる。有利には、層１１２によるステープル線の補強及び／又は組織の厚さの補償と同時に、周縁フラップ１１０による切除された縁部１２０の被覆が提供される。このように、カートリッジ７０に直接面して配置された可撓性周縁フラップ１１０のみが、切除された縁部の上で折り返され、第２の層１１２は、ステープル留めされた組織を補強するために用いられる。第２の層１１２の幅は、示されているように、少なくとも、ステープル留め領域、すなわちステープルポケット７４の最も外側の列の間の領域を覆うのに十分な広さである。あるいは（図示せず）、第２の層１１２の幅は、カートリッジ７０の幅と同等か僅かに広い。
【００７４】
図２９Ｄを参照すると、一実施形態では、バットレス１００は、２層構造物を含み、バットレス１００の第２の層１１３は、カートリッジ７０に面し、ステープル線の補強及び／又は組織の厚さの補償用に最適化され、ステープル留めされて反対側の組織Ｔ２を保持するように適合されている。第２の層１１３は、カートリッジ７０と、組織の縁部に巻き付けられるように適合されている、周縁フラップ１１０と、の間に位置付けられる。図３０Ｃは、ステープル留め及び切除後の図２９Ｄの実施形態を示し、周縁フラップ１１０は、組織に巻き付けられて、組織Ｔ１上に位置付けられ、第２の層１１２は、ステープル留め後に組織Ｔ２と接触したままとなる。有利には、層１１２によるステープル線の補強及び／又は組織の厚さの補償と同時に、周縁フラップ１１０による切除された縁部１２０の被覆が提供される。このように、可撓性周縁フラップ１１０のみが、切除された縁部の上で折り返され、第２の層１１２は、ステープル留めされた組織を補強するために用いられる。第２の層１１３の幅は、示されているように、カートリッジ７０の幅と実質的に同等である。あるいは（図示せず）、第２の層１１３の幅は、少なくとも、ステープル留め領域、すなわちステープルポケット７４の最も外側の列の間の領域を覆うのに十分な広さである。
【００７５】
図２９Ｅを参照すると、一実施形態では、バットレス１００は、同一材料から作製され、ステープル線の補強及び／又は組織の厚さの補償用に最適化された中央のより厚い領域１１４を有する構造物を含み、ステープル留めされて反対側の組織Ｔ２を保持するように適合されている。中央のより厚い領域１１４の両側に位置付けられた周縁フラップ１１０は、組織縁部に巻き付けられるように適合されている。図３０Ｄは、ステープル留め及び切除後の図２９Ｅの実施形態を示し、周縁フラップ１１０は、組織に巻き付けられて、組織Ｔ１上に位置付けられ、中央のより厚い領域１１４は、ステープル留め後に組織Ｔ２と接触したままとなる。有利には、領域１１４によるステープル線の補強及び／又は組織の厚さの補償と同時に、周縁フラップ１１０による切除された縁部１２０の被覆が提供される。中央のより厚い領域１１４の幅は、示されているように、カートリッジ７０の幅と実質的に同等である。あるいは（図示せず）、中央のより厚い領域１１４の幅は、少なくとも、ステープル留め領域、すなわちステープルポケット７４の最も外側の列の間の領域を覆うのに十分な広さである。
【００７６】
図２９Ｆを参照すると、一実施形態では、バットレス１００は、第１の材料から作製された中央のより厚い領域１１５を有する構造物を含み、ステープル線の補強及び／又は組織の厚さの補償用に最適化され、ステープル留めされて反対側の組織Ｔ２を保持するように適合されている。中央のより厚い領域１１５の両側に位置付けられた周縁フラップ１１０は、第１の材料に接合された第２の材料から作製され、組織の縁部に巻き付けられるように適合されている。図３０Ｅは、ステープル留め及び切除後の図３０Ｅの実施形態を示し、周縁フラップ１１０は、組織に巻き付けられて、組織Ｔ１上に位置付けられ、中央のより厚い領域１１５は、ステープル留め後に組織Ｔ２と接触したままとなる。有利には、領域１１５によるステープル線の補強及び／又は組織の厚さの補償と同時に、周縁フラップ１１０による切除された縁部１２０の被覆が提供される。中央のより厚い領域１１５の幅は、示されているように、カートリッジ７０の幅と実質的に同等である。あるいは（図示せず）、中央のより厚い領域１１５の幅は、少なくとも、ステープル留め領域、すなわちステープルポケット７４の最も外側の列の間の領域を覆うのに十分な広さである。
【００７７】
図３１を参照すると、組織対向面１７０に配置された、図２９Ｃに示されている実施形態のチャネル７２及びバットレス１００のそれぞれの側に２列のステープルポケット７４を備えた、カートリッジ７０の一実施形態の略示前面断面図が提示されており、周縁フラップ１１０は、バットレス１００の上に及びそれ自体の上に折り畳んで収納されている。バットレス１００は、２層構造物を含み、周縁フラップ１１０は、カートリッジ７０に面し、組織の縁部に巻き付けられるように適合されている一方、バットレス１００の第２の層１１２は、任意追加的に可撓性の低い材料であり、ステープル線の補強及び／又は組織の厚さの補償用に最適化されている。
【００７８】
図３２を参照すると、長手方向の溝１７２を備えたカートリッジ７０の一実施形態の略示前面断面図が示されている。図２９Ｃに示されている実施形態のバットレス１００は、組織対向面１７０に配置され、周縁フラップ１１０は溝１７２に充填されている。バットレス１００は、２層構造物を含み、周縁フラップ１１０は、組織の縁部に巻き付けられるように適合されている一方、バットレス１００の第２の層１１２は、任意追加的に可撓性の低い材料であり、ステープル線の補強及び／又は組織の厚さの補償用に最適化されている。
【００７９】
特定の実施形態では、アンビル６０上に支持されたバットレス１００ａが提供される。
【００８０】
図３３を参照すると、アンビル６０の略示断面図が示されており、一実施形態では、上述のカートリッジ７０上に支持されたバットレス１００に加え、バットレス１００ｄが、アンビル６０上に支持されている。この実施形態では、バットレス１００ｄは、フラップがなく、アンビル６０の幅と実質的に同じ幅を有する。バットレス１００ｄは、アンビル６０及びステープル成形ポケット６４に面するバットレス１００ｄの側に配置された接着剤１４０を有する。バットレス１００ｄ及びバットレス１００の両方がステープル留めされた組織Ｔ１及びＴ２上に配備されるとき、接着剤１４０を使用して、バットレス１００ｄ上にバットレス１００の周縁フラップ１１０を接着固定することができる。
【００８１】
図３４を参照すると、アンビル６０の略示断面図が示されており、バットレス１００ａは、一実施形態では、上述のカートリッジ７０上に支持されたバットレス１００の任意の代替として又はその補足として、アンビル６０上に支持される。この実施形態では、バットレス１００ａは、配備前にアンビル６０に巻き付けられる周縁フラップ１１０ａを有する。
【００８２】
図３５を参照すると、アンビル６０の略示断面図が示されており、バットレス１００ａは、一実施形態では、上述のカートリッジ７０上に支持されたバットレス１００の任意の代替として又はその補足として、アンビル６０上に支持される。この実施形態では、バットレス１００ａは、アンビル６０内に形成され、示されているようにアンビル６０の周縁にあるチャネル６２の両側でチャネル６２に平行して走る、長手方向の空洞又は溝１７２ａ内に充填された周縁フラップ１１０ａを有し、ステープル成形ポケット６４の列は、長手方向の空洞又は溝１７２ａとチャネル６２との間にある。
【００８３】
動作中に、バットレス１００ａは、組織Ｔ１及びＴ２にステープル留めされ、ナイフ部材８０が組織を切除／切断するときのナイフ部材８０の作用により、２等分される。ステープラー１０のステープル留め及び除去後、バットレス１００ａは、ステープル留め及び切除された組織Ｔ１及びＴ２に取り付けられたままであり、周縁フラップ１１０ａは、アンビル６０から分離する。周縁フラップ１１０ａは次いで、その折り畳まれた収納位置から展開され、ひっくり返されるか又は折り返されて、切除された縁部に巻き付けられる。
【００８４】
上の説明は、バットレス１００及び１００ａの周縁に位置付けられ、バットレスの中央のステープル留め部分ＣＳＰを囲む、バットレス１００及び１００ａの周縁フラップ１１０、１１０ａに主に集中しており、周縁フラップは、カートリッジ７０若しくは１６０又はアンビル６０の組織対向面１７０の周縁にある、長手方向に延在するチャネル７２又は６２の遠位に収納される。
【００８５】
以下に説明する本発明の代替の実施形態では、バットレス１００又は１００ａの中央フラップ（ＣＦ）１０５又は１０５ａの部分は、チャネル７２の近位に、すなわち、チャネル７２とステープルポケット７４の列との間又はチャネル６２とステープル成形ポケット６２の列との間に位置付けられる。
【００８６】
図３６Ａ及び図３６Ｂを参照すると、比較のための、周縁フラップ１１０、１１０ａを備えたバットレス１００又は１００ａの概略平面図。図３６Ａは、ステープル留め及び切除の前のバットレス１００、１００ａを、充填していない／巻き付けていない平坦な図で示しており、周縁フラップ１１０又は１１０ａは、バットレス１００又は１００ａの周縁部分を形成しており、また、切除の線７２０及びステープル留め線７４０を概略的に示している。
【００８７】
図３６Ｂは、ステープル留め及び切除の前の、充填した／巻き付けた構成で提示されたバットレス１００又は１００ａの概略平面図を示しており、バットレスの周縁フラップ１１０又は１１０ａは、ステープル留め線７４０の外側かつ切除の線７２０の遠位である周縁領域に折り畳まれて充填されている。周縁フラップ１１０、１１０ａの折り目１０６が概略的に示されている。
【００８８】
図３６Ｃ、図３６Ｄを参照すると、中央フラップ（ＣＦ）１０５又は１０５ａがバットレス１００又は１００ａの中央部分を形成しており、バットレス１００又は１００ａの周縁のステープル留め部分（ＰＳＰ）が、バットレス１００又は１００ａの周縁に位置している、本発明の実施形態が示されている。図３６Ｃ、図３６Ｄはまた、切除の線７２０及びステープル留め線７４０を概略的に提示している。
【００８９】
図３６Ｃは、バットレス１００又は１００ａの概略平面図を、充填していない／巻き付けていない図で示している。図３７Ｄは、ステープル留め及び切除の前の、充填した／巻き付けた構成のバットレス１００又は１００ａの概略平面図を示しており、バットレスの中央フラップ１０５又は１０５ａは、切除の線７２０とステープル留め線７４０との間の領域に折り畳まれて充填されている。中央フラップ１０５又は１０５ａの折り目１０６が、概略的に示されている。
【００９０】
図３７は、バットレス１００を備えたカートリッジ７０の概略断面図を示しており、中央フラップ１０５は、チャネル７２の両側にあるチャネル７２の近位に、すなわち、チャネル７２とステープルポケット７４の列との間にある、溝１７２の中に折り畳まれて充填されている。
【００９１】
図３８は、溝１７２がチャネル７２の一方の側に開放されている、代替の実施形態を示している。
【００９２】
図３９は、バットレス１００が、あらかじめ２等分され、チャネル７２の両側に位置付けられた、代替の実施形態を示している。
【００９３】
同様に、アンビル６０及びバットレス１００ａに適用可能なものとして、図４０〜図４１に示されている実施形態は、バットレス１００ａを備えたアンビル６０の概略断面図を提示しており、バットレス１００ａの中央フラップ１０５ａは、チャネル６２の近位に、すなわち、チャネル６２とステープル成形ポケット６４の列との間に位置付けられている。これらの実施形態の中央フラップ１０５ａは、バットレス１００ａの中央部に形成される。
【００９４】
図４０は、チャネル６２の両側にあるチャネル６２の近位に、すなわち、チャネル６２とステープル成形ポケット６４の列との間にある、溝１７２ａの中に折り畳まれて充填された中央フラップ１０５ａを示している。
【００９５】
図４１は、溝１７２ａがアンビル６０を完全に横断しており、組織対向面１６０から始まり、組織対向面１６０の反対側になるアンビル６０の側で終端する、長手方向の開口チャネルとなっている、代替の実施形態を示しており、中央フラップ１０５ａは、アンビル６０の組織対向側と反対側のアンビル６０の側で部分的に露出している。バットレス１００ａが、あらかじめ２等分され、チャネル６２の両側に位置付けられている、図３９の実施形態に類似した代替の実施形態は示されていない。
【００９６】
動作中、図３６Ｃ、図３６Ｄ、及び図３７〜図４１の中央フラップ１０５、１０５ａを備えた実施形態は、周縁フラップ１１０、１１０ａを備えた実施形態と同様の方式で動作し、ステープルの配備並びに組織Ｔ又は組織層Ｔ１及びＴ２の切除の際に、バットレス１００、１１０ａは、組織にステープル留めされ、ナイフ部材の作用によって２等分される。バットレス１００、１００ａは、ステープル留め及び切除された組織に取り付けられたまま、カートリッジ７０又はアンビル６０から分離され、中央フラップ１０５及び／又は１０５ａは、溝１７２、１７２ａ内の収納位置から移動する。中央フラップ１０５及び／又は１０５ａは次いで、折り畳まれた収納位置から展開され、切除された組織縁部に巻き付けられる。周縁フラップ１１０又は１１０ａがバットレス１００又は１００ａの周縁に位置付けられている実施形態との違いは、中央フラップ１０５及び１０５ａが、ひっくり返される又は折り返される必要がなく、組織縁部１２０に直接巻き付けられ得る点である。
【００９７】
図４２をここで参照すると、ステープル７７の配備及び組織Ｔの切除後の位置の、略示断面図が提示されている。示されているのは組織Ｔの一層であるが、上に提示されているように組織Ｔ１及びＴ２といった複数の層をステープル留めすることができる。ステープル７７により組織Ｔにステープル留めされ、ナイフ部材８０（図４２には図示せず）が組織を切除／切断するときのナイフ部材８０の作用によって２等分された、バットレス１００が示されている。
【００９８】
図４３Ａを参照すると、ステープラー１０の開放、すなわち、ステープル留めしてステープラー１０を取り外した後の下側顎部５０とアンビル６０との分離後の位置の、略示断面図が提示されている。バットレス１００は、ステープル７７によってステープル留め及び切除された組織Ｔに取り付けられたままである。中央フラップ１０５を備えたバットレス１００は、カートリッジ７０から分離されており、中央フラップ１０５は、溝１７２内のその収納位置から移動している。簡略化のため、切除された組織Ｔの一方の側のみが示されている。組織Ｔは、露出した切除縁部１２０を形成している。
【００９９】
中央フラップ１０５は、次いで、図４３Ｂに矢印で概略的に指示されているように、その折り畳まれた収納位置から展開され、切除された縁部１２０に巻き付けられて、結果的に、図４３Ｃに示されている中央フラップ１０５の位置となる。見て分かるように、中央フラップ１０５は、組織縁部１２０と、組織表面Ｓ２の反対側になる組織表面Ｓ１の少なくとも一部と、を覆っている。バットレス１００の周縁のステープル留め部分ＰＳＰは、組織表面Ｓ２にステープル留めされ、中央フラップ１０５は、表面Ｓ２を起点として組織Ｔに巻き付き、組織縁部１２０を越え、組織表面Ｓ１の少なくとも一部を覆い、それによって止血及び組織の封着を助け、治癒を改善し、癒着を防止する。
【０１００】
上の動作説明は、バットレス１００ａが装着されたアンビル６０に中央フラップ１０５、１０５ａを採用する、本発明の他の実施形態にも適用可能であり、バットレス１００ａは、組織Ｔ１及びＴ２又は単一層組織Ｔにステープル留めされ、ナイフ部材８０が組織を切除／切断するときのナイフ部材８０の作用によって２等分される。ステープラー１０のステープル留め及び除去後、バットレス１００ａは、ステープル留め及び切除された組織Ｔ１及びＴ２に取り付けられたままであり、中央フラップ１０５ａは、アンビル６０から分離する。中央フラップ１０５ａは次いで、折り畳まれた収納位置から展開され、切除された縁部１２０に巻き付けられる。
【０１０１】
周縁フラップ１１０、１１０ａを有する実施形態とは異なり、中央フラップ１０５、１０５ａは、組織Ｔと接触しているバットレス１００の同じ側で、換言すれば、組織Ｔの表面Ｓ２と接触しているバットレス１００の側で、組織縁部１２０及び反対の組織側Ｓ１と接触している。
【０１０２】
周縁フラップ１１０、１１０ａを備えた実施形態と同様に、中央フラップ１０５、１０５ａを備えた実施形態は、縁部１２０に及び／又は組織表面Ｓ１に固着するために提供される、任意の固定手段を有してもよい。いくつかの実施形態では、組織Ｔの表面Ｓ２に向いているバットレス側には、接着剤コーティング又は接着層が提供され、少なくとも接着層は、中央フラップ１０５、１０５ａ上に配置される。
【０１０３】
中央フラップ１０５、１０５ａが、切除された組織縁部１２０に巻き付けられ、組織表面Ｓ１と接触させられると、フラップは、かかり付きピン、湿った組織に対して高い付着力を有する水分活性化組成物などの粘着性のミニチュアアンカーの作用により、組織縁部１２０及び／又は表面Ｓ１に固定され得る。
【０１０４】
バットレス１００の周縁のステープル留め部分ＰＳＰの幅は、２つの中央フラップ１０５、１０５ａによって分離されたバットレス１００、１００ａの２つの周縁部分を含む。ＰＳＰの幅は、ステープル留め領域を覆う、又はステープル留め線７４０を覆う、又はステープルポケット７４若しくはステープル成形ポケット６４を覆う、バットレス１００、１００ａの一部が存在することを保証するように構成される。
【０１０５】
いくつかの実施形態では、バットレス１００の周縁のステープル留め部分ＰＳＰの幅は、組織対向面１７０又は１６０の幅の約２分の１から、組織対向面１７０又は１６０の幅の約０．９倍まで、例えば、組織対向面の幅の０．６倍、０．７倍、０．８倍である。
【０１０６】
中央フラップ１０５、１０５ａの幅は、中央フラップが切除された組織縁部１２０に巻き付けられ得るように構成される。いくつかの実施形態では、それぞれの中央フラップ１０５、１０５ａの幅は、組織Ｔの厚さ又は組織Ｔ１とＴ２とを合わせた厚さと少なくとも同等又はそれより大きく、例えば、組織の厚さの１倍、１．２５倍、１．５倍、１．７５倍、２倍、２．５倍、３倍、４．５倍、４倍、４．５倍、５倍、８倍、１０倍、１５倍、最も好ましくは組織の厚さの２〜５倍である。
【０１０７】
周縁フラップ１１０、１１０ａを備えた実施形態と同様に、中央フラップ１０５、１０５ａを備えた実施形態は、均一な厚さの材料の単一層又は不均一な厚さの多層材料若しくは単一層材料を含む、バットレス１００、１００ａを有してもよい。
【０１０８】
図４４Ａを参照すると、中央フラップ１０５を有するバットレス１００を備えたカートリッジ７０の概略断面図を示しており、追加の層１１２が、バットレス１００の上部で、表面１７０の遠位に配置されており、層１１２は、任意追加的に中央フラップ１０５の材料より可撓性の低い、かつ／又は厚いものであり得る。層１１２は、組織の支持及び／又はステープル線の補強用に構成され得、反対側の組織Ｔの表面Ｓ２を保持するように構成される。層１１２は、バットレス１００に一体化され得る。
【０１０９】
図４４Ｂを参照すると、中央フラップ１０５を有するバットレス１００を備えたカートリッジ７０の概略断面図を示しており、追加の層１１３が、バットレス１００とカートリッジ７０の表面１７０との間に配置されている。層１１３は、中央フラップ１０５の材料より、任意追加的に可撓性の低い、かつ／又は厚いものであり得る。層１１３は、組織の支持及び／又はステープルラインの補強用に構成され得、バットレス１００に一体化され得る。
【０１１０】
中央フラップ１０５を有するバットレス１００を備えたカートリッジ７０の概略断面図を示す図４４Ｃを参照すると、より厚い周縁のステープル留め部分１１４、すなわちＰＳＰと、より薄い中央フラップ１０５と、を有するバットレス１００が示されている。部分１１４は、中央フラップ１０５の材料より、任意追加的に可撓性の低い、かつ／又は厚いものであり得る。部分１１４は、組織の支持及び／又はステープルラインの補強用に構成され得、バットレス１００に一体化される。
【０１１１】
層１１２、１１３、１１４は、バットレス１００と同じ材料、又は異なる材料から作製され得る。
【０１１２】
動作中、ステープル留め／切除後は可撓性中央フラップのみが収納位置から展開され、切除された縁部１２０に巻き付けられ、層１１２、１１３、１１４は、ステープル留めされた組織を補強するために使用され、折り畳まれることも、組織縁部１２０に巻き付けられることもない。
【０１１３】
層１１２、１１３、１１４の幅は、カートリッジ７０の幅と実質的に同等であり得る。あるいは、層１１２、１１３、１１４の幅は、少なくとも、ステープル留め領域、すなわち、ステープルポケット７４の最も外側の列の間の領域を覆うのに十分な広さである。
【０１１４】
一実施形態では、バットレス１００は、カートリッジ７０の上に配備され、バットレス１００ａは、アンビル６０の上に配備され、周縁フラップ１１０及び１１０ａ並びに／又は中央フラップ１０５及び１０５ａは、重なり合う構成で、組織のある面から、更に組織の反対側の面から、切除された縁部に巻き付けられ／その上で折り畳まれ、Ｖｅｌｃｒｏ様の面ファスナー、接着剤、又は任意の他の固定機構によって互いに固定される。
【０１１５】
一実施形態では、バットレス１００又は１００ａは、中央フラップ１０５、１０５ａと周縁フラップ１１０、１１０ａの両方を含む。ステープル留め及び切除後、周縁フラップ１１０又は１１０ａ及び中央フラップ１０５又は１０５ａは、重なり合う構成で、組織の同じ表面から、切除された縁部に巻き付けられる／その上に折り畳まれる。
【０１１６】
特定の実施形態では、周縁フラップ１１０及び１１０ａ並びに／又は中央フラップ１０５及び１０５ａは、形状記憶材料であり、水分に曝されると、縁部１２０及び反対側の組織表面を覆うように展開する。展開の機構は、例えば、組織Ｔ２の反対側に面したフラップの層が水分に曝されたときの高収縮係数、及び／又は組織Ｔ２に面する周縁フラップ１１０の層が水分に曝されたときの高膨張係数を有する、２層フラップ（図示せず）である。水分を吸収したときの収縮及び／又は膨張は、フラップの自動展開と、縁部１２０及び反対側の組織Ｔ１への巻き付けをもたらす。
【０１１７】
バットレス１００、１００ａ及び／又はフラップ１１０、１１０ａ、１０５、１０５ａは、治癒を促進し、炎症及び感染を防止する薬剤など、生物医学的に有用な薬剤によって任意追加的にコーティング又は含浸され得る。生物医学的に有用な薬剤は次いで、時間の経過と共に四方に広がり、かかる時間は、１２時間、２４時間、４８時間、１週間、２週間、４週間、１２週間など、数時間から数日、数週間の範囲にわたり、かかる薬剤の放出は、生物医学的に有用な薬剤の持続放出と称される。
【０１１８】
生物医学的に有用な薬剤又は治療材料は、任意の医学的に有用な物質、又は、物質の組み合わせを指し、該物質は、薬、酵素、成長因子、ペプチド、タンパク質、栄養素、賦形剤、抗菌剤、及び任意の他の注射可能の医薬品を含め、組織生存性を向上させることができる。特に興味深いのは、トロンビン及び／又はフィブリノーゲンのような止血剤である。治療薬の他の例は、自家細胞である。
【０１１９】
バットレス１００、１００ａ及び／又はフラップ１１０、１１０ａ、１０５、１０５ａは、好ましくは、不織布、フェルト、ニット、織物、成形シートなどの形態の任意の好適な生体適合性材料又は複合体から作製される。本発明のバットレス１００、１００ａ及び／又はフラップ１１０、１１０ａ、１０５、１０５ａは、外科手術で使用することができる、ポリマーを含む任意の生分解性及び／又は非生分解性材料から製造することができる。用語「生分解性」は、生体吸収性及び生体再吸収性材料の両方を含むように定義される。材料は、天然、合成、生体吸収性及び／又は非吸収性材料、並びにそれらの組み合わせを含む。バットレス１００、１００ａ及び／又はフラップ１１０、１１０ａ、１０５、１０５ａを形成するために使用され得る天然生分解性ポリマーは、キトサン、セルロース、コラーゲン、ゼラチンなどのポリサッカライド単体又は生物学的材料及び／若しくは合成ポリマーとの組み合わせの誘導体を含む。セルロース誘導体の例としては、カルボキシメチルセルロース、酸化セルロース、酸化再生セルロースなど、及びそれらの組み合わせが挙げられる。医療用装置を形成するために使用され得る合成生分解性ポリマーとしては、ポリ（ラクチドｃｏ−グリコリドラクチド）、より一般的には、グリコリド、ラクチド、εカプロラクトン、トリメチレンカーボネート、ｐ−ジオキサノンなど、及びそれらの組み合わせから作製されるポリマー並びにコポリマーといった、様々な既知の生分解性／生体再吸収性ポリマーが挙げられる。非分解性材料としては、ポリエチレン、ポリプロピレン、ポリテトラフルオロエチレン；ナイロン、及び類似のものが挙げられ得る。
【０１２０】
バットレス１００の厚さは、約０．０５ｍｍ〜約３ｍｍ、より好ましくは０．１ｍｍ〜２ｍｍ、例えば、０．２ｍｍ、０．５ｍｍ、０．８ｍｍ、１．０ｍｍ、１．５ｍｍである。
【０１２１】
フラップを含むバットレス１００の幅は、カートリッジ７０の組織対向面１７０の幅の少なくとも１．３、より好ましくは、カートリッジ７０の組織対向面１７０の幅の少なくとも１．５倍、２倍、３倍である。いくつかの実施形態では、フラップ１１０を含むバットレス１００の幅は１５ｍ〜６０ｍｍ、例えば、２０ｍｍ、２５ｍｍ、３０ｍｍ、３５ｍｍ、４０ｍｍである。
【０１２２】
いくつかの実施形態では、それぞれのフラップは、組織対向面１６０、１７０の幅の０．５倍以上、例えば、組織対向面１６０、１７０の幅の０．７５倍、１倍、１．５倍、２倍の幅を有する。
【０１２３】
いくつかの実施形態では、それぞれのフラップは、チャネル７２とステープルポケット７４の最も遠い列との間の距離と、ステープル留めされている組織Ｔ１及びＴ２の厚さと、の合計より大きい、例えば、５ｍｍ、１０ｍｍ、１５ｍｍ、２０ｍｍ、３０ｍｍ大きい幅を有する。
【０１２４】
バットレス１００、１００ａの長さは、組織対向面１７０又は１６０の長さの約０．５〜約１．３倍、例えば、組織対向面１７０又は１６０の長さの０．７５倍、１．０倍、１．２倍である。いくつかの実施形態では、バットレス１００、１００ａの長さは、ステープル留めされた領域の長さ又はステープル線７４０の長さと同等か又は５〜２０％大きい。
【０１２５】
上の説明は、組織Ｔ１及びＴ２の２つ以上の層又は組織Ｔの単一層の接合及び切除に適用することができる。ただし、同じ動作及び構造アプローチを、２つ以上の組織層の接合に、又は１つの組織層、例えば、胸膜若しくは肺組織、肝臓組織、腎臓組織の切除及び閉鎖に適用することができる。図２６Ｂ、４２、４３の参照と共に開示されているように、Ｔとして指定され、表面Ｓ１及びＳ２を有する１つの組織層のみを切除し、ステープル留めすることができ、表面Ｓ２は、図２３〜２８、３０の組織Ｔ２に対応し、表面Ｓ１は、これらの図の組織Ｔ１に対応する。
【０１２６】
図４５をここで参照すると、いくつかの実施形態では、フラップ部分は、複数の孔部又は開口部１１８を有する。有利には、孔部又は開口部は、より良好な組織の治癒をもたらし得る。
【０１２７】
図４５Ａに示すように、周縁フラップ１１０又は１１０ａは、開口部１１８又は孔部１１８を有する。図４５Ｂに示すように、中央フラップ１０５又は１０５ａは、開口部１１８を有する。
【０１２８】
以上、本発明についてその具体的な実施形態を参照して説明してきたが、本明細書に開示される本発明の概念から逸脱することなく、多くの変更、修正、及び変形が可能であることは明白である。したがって、添付の特許請求の範囲の趣旨及び広義の範囲内にある、全てのかかる変更、修正、及び変形を全て包含するものとする。
【０１２９】
〔実施の態様〕
（１）  少なくとも１つの組織片をステープル留めし、かつ切除するための外科用ステープラーであって、
本体と、シャフト組立体と、エンドエフェクタと、を備え、前記エンドエフェクタは、ステープルカートリッジを受容するように構成されている下側顎部と、前記下側顎部に向かって、かつそこから離れるように枢動可能なアンビルと、並進可能なナイフ部材と、を備え、
使い捨てカートリッジが前記下側顎部に設置されており、前記カートリッジは、前記ナイフ部材が中を並進可能な組織切除チャネルによって分離された配列に複数の配備可能なステープルを収容し、
前記アンビルは、前記配備可能なステープルと整列された複数のステープル成形ポケットを有し、
外科用バットレスが、前記カートリッジ又は前記アンビルのうちの少なくとも１つの組織対向面上に、少なくとも部分的に配置され、
前記バットレスは、前記組織対向面の幅より実質的に大きい幅を有し、
前記バットレスは、前記配備可能なステープル上又は前記ステープル成形ポケット上に位置付けられた第１の部分と、前記配備可能なステープル上又は前記ステープル成形ポケット上に位置付けられていない少なくとも１つのフラップ部分と、を含み、
前記フラップ部分は、それ自体の上に折り畳まれるか又は巻かれて、かつ展開して前記切除された組織に巻き付けることができる、外科用ステープラー。
（２）  前記バットレスが、２つのフラップ部分を含む、実施態様１に記載の外科用ステープラー。
（３）  前記フラップ部分が、前記切除された組織に巻き付くのに十分な幅を有するように構成されている、実施態様２に記載の外科用ステープラー。
（４）  前記バットレスが、実質的に矩形である、実施態様２に記載の外科用ステープラー。
（５）  前記フラップ部分が孔部を有する、実施態様２に記載の外科用ステープラー。
【０１３０】
（６）  前記バットレスが、少なくとも部分的に生体再吸収性又は少なくとも部分的に可溶性である、実施態様２に記載の外科用ステープラー。
（７）  前記バットレスが、放出可能な医学的に有用な薬剤を含む、実施態様２に記載の外科用ステープラー。
（８）  前記フラップ部分が、前記カートリッジ又は前記アンビルのうちの少なくとも１つの前記組織対向面に形成されている溝内に収納されている、実施態様３に記載の外科用ステープラー。
（９）  前記フラップ部分が、前記カートリッジ又は前記アンビルのうちの少なくとも１つの前記組織対向面上で折り畳まれて収納されている、実施態様３に記載の外科用ステープラー。
（１０）  前記フラップ部分が、前記カートリッジ又は前記アンビルのうちの少なくとも１つの前記組織対向面の外側に巻かれて収納されている、実施態様３に記載の外科用ステープラー。
【０１３１】
（１１）  前記バットレスが、少なくとも２つの層を含む、実施態様３に記載の外科用ステープラー。
（１２）  前記第１の部分が２つの層を含み、前記フラップ部分が１つの層を含む、実施態様１に記載の外科用ステープラー。
（１３）  前記第１の部分がより高い厚さを有し、前記フラップ部分がより低い厚さを有する、実施態様１に記載の外科用ステープラー。
（１４）  前記フラップ部分が取り付け手段を含む、実施態様１に記載の外科用ステープラー。
（１５）  前記取り付け手段が、接着剤の層又は少なくとも１つのかかり付きピンを含む、実施態様１に記載の外科用ステープラー。
【０１３２】
（１６）  前記フラップ部分が、前記バットレスの周縁に位置し、前記第１の部分を囲んでおり、前記フラップ部分それぞれが、前記組織対向面の前記幅の２分の１より大きい幅を有する、実施態様３に記載の外科用ステープラー。
（１７）  前記フラップ部分それぞれが、前記組織対向面の前記幅より大きい前記幅を有する、実施態様１６に記載の外科用ステープラー。
（１８）  前記溝が、前記カートリッジ又は前記アンビルの前記周縁で、かつ前記組織切除チャネルの遠位に位置付けられている、実施態様８に記載の外科用ステープラー。
（１９）  前記フラップ部分が、前記バットレスの中央に位置し、前記第１の部分が、前記フラップ部分を囲む２つのパーツを含み、前記フラップ部分それぞれが、前記組織の厚さより大きい、又は前記組織対向面の前記幅の２分の１より大きい幅を有する、実施態様３に記載の外科用ステープラー。
（２０）  前記溝が、前記組織切除チャネルの近位で、かつ前記組織切除チャネルと、配備可能なステープルの列又はステープル成形ポケットの列との間に位置付けられている、実施態様８に記載の外科用ステープラー。
【０１３３】
（２１）  実施態様３に記載の外科用ステープラーを使用する方法であって、
前記ステープルカートリッジを前記下側顎部に挿入する工程と、
前記アンビルと前記ステープルカートリッジとの間の組織を捕捉する工程と、
近位位置から遠位位置へ前記ナイフ部材を遠位に並進させる工程と、
前記捕捉した組織を切断して切除された組織の縁部を形成することと、前記ステープルカートリッジの前記複数のステープルを駆動して前記捕捉した組織に通すことと、を実質的に同時に行う工程と、
前記バットレスの前記第１の部分をステープルによって第１の組織表面に取り付けることと、前記フラップ部分を前記ステープルによって前記組織に取り付けずに、前記バットレスを２等分することと、を実質的に同時に行う工程と、
前記バットレスを前記第１の組織表面に取り付けたまま、組織との接触から前記外科用ステープラーを外す工程と、前記フラップ部分の少なくとも１つを展開し、前記少なくとも１つのフラップ部分を前記切除された組織の縁部に巻き付け、任意追加的に、前記少なくとも１つのフラップ部分を、前記第１の組織表面の反対側にある第２の組織表面に接触させる工程と、を含む、方法。
（２２）  前記フラップ部分の少なくとも１つを展開し、前記少なくとも１つのフラップ部分を前記切除された組織の縁部に巻き付ける前記工程が、前記フラップ部分をそれ自体の上で折り返すことを更に含む、実施態様２１に記載の方法。
（２３）  前記バットレスを前記アンビル、前記カートリッジ、又は前記アンビルと前記カートリッジとの両方に取り付けることを含む、準備工程を更に含む、実施態様２１に記載の方法。
【図１】
2019523026.tif 000003
【図２】
2019523026.tif 000004
【図３】
2019523026.tif 000005
【図４】
2019523026.tif 000006
【図５】
2019523026.tif 000007
【図６】
2019523026.tif 000008
【図７】
2019523026.tif 000009
【図８】
2019523026.tif 000010
【図９】
2019523026.tif 000011
【図１０】
2019523026.tif 000012
【図１１】
2019523026.tif 000013
【図１２】
2019523026.tif 000014
【図１３】
2019523026.tif 000015
【図１４】
2019523026.tif 000016
【図１５】
2019523026.tif 000017
【図１６】
2019523026.tif 000018
【図１７】
2019523026.tif 000019
【図１８】
2019523026.tif 000020
【図１９】
2019523026.tif 000021
【図２０】
2019523026.tif 000022
【図２１】
2019523026.tif 000023
【図２２】
2019523026.tif 000024
【図２３】
2019523026.tif 000025
【図２４】
2019523026.tif 000026
【図２５】
2019523026.tif 000027
【図２６Ａ】
2019523026.tif 000028
【図２６Ｂ】
2019523026.tif 000029
【図２７】
2019523026.tif 000030
【図２８】
2019523026.tif 000031
【図２９Ａ】
2019523026.tif 000032
【図２９Ｂ】
2019523026.tif 000033
【図２９Ｃ】
2019523026.tif 000034
【図２９Ｄ】
2019523026.tif 000035
【図２９Ｅ】
2019523026.tif 000036
【図２９Ｆ】
2019523026.tif 000037
【図３０Ａ】
2019523026.tif 000038
【図３０Ｂ】
2019523026.tif 000039
【図３０Ｃ】
2019523026.tif 000040
【図３０Ｄ】
2019523026.tif 000041
【図３０Ｅ】
2019523026.tif 000042
【図３１】
2019523026.tif 000043
【図３２】
2019523026.tif 000044
【図３３】
2019523026.tif 000045
【図３４】
2019523026.tif 000046
【図３５】
2019523026.tif 000047
【図３６Ａ】
2019523026.tif 000048
【図３６Ｂ】
2019523026.tif 000049
【図３６Ｃ】
2019523026.tif 000050
【図３６Ｄ】
2019523026.tif 000051
【図３７】
2019523026.tif 000052
【図３８】
2019523026.tif 000053
【図３９】
2019523026.tif 000054
【図４０】
2019523026.tif 000055
【図４１】
2019523026.tif 000056
【図４２】
2019523026.tif 000057
【図４３Ａ】
2019523026.tif 000058
【図４３Ｂ】
2019523026.tif 000059
【図４３Ｃ】
2019523026.tif 000060
【図４４Ａ】
2019523026.tif 000061
【図４４Ｂ】
2019523026.tif 000062
【図４４Ｃ】
2019523026.tif 000063
【図４５Ａ】
2019523026.tif 000064
【図４５Ｂ】
2019523026.tif 000065
【国際調査報告】
2019523026.tif 000066
2019523026.tif 000067
2019523026.tif 000068
2019523026.tif 000069
2019523026.tif 000070